(57)【要約】【課題】同一の医療機関に複数の移動型放射線撮影装置が設置されている場合に、どの移動型放射線撮影装置を選択して使用すべきかを管理することができるようにする。【解決手段】移動型放射線撮影装置２２の使用履歴や保守履歴等の履歴情報（ログ）を記憶するログメモリ２５０と、設定又は変更された撮影計画や保守計画を記憶する計画情報メモリ２５２と、オーダリング情報等に基づいて撮影計画及び保守計画を作成する計画情報作成部２５４と、ＩＤ情報、オーダリング情報、履歴情報等を分析要求指示と共に外部の中央管理部１４に送信する情報送信部２５６と、中央管理部１４での分析結果を受け取る分析結果受取部２５８と、受け取った分析結果に基づいて使用すべき移動型放射線撮影装置２２を選択指示するガイダンス部２６８とを備える。【選択図】図１１
2011030660.tif 000002
【特許請求の範囲】
【請求項１】
バッテリと、放射線源と、被写体を透過した前記放射線源からの放射線を検出し、放射線画像情報に変換する放射線検出装置とをそれぞれ有する複数の移動型放射線撮影装置と、
供給された撮影条件に基づいて、前記移動型放射線撮影装置で放射線撮影を行うための撮影計画を設定する手段と、
前記移動型放射線撮影装置の少なくとも使用履歴に関する情報を読み取る情報読取手段と、
読み取った少なくとも前記使用履歴に関する情報に基づいて、前記複数の移動型放射線撮影装置のうち、使用すべき移動型放射線撮影装置を選択して使用するように指示する選択指示手段とを有することを特徴とする放射線撮影管理システム。
【請求項２】
請求項１記載の放射線撮影管理システムにおいて、
前記選択指示手段は、前記複数の移動型放射線撮影装置の劣化具合が平均的になるように、前記複数の移動型放射線撮影装置のうち、使用すべき移動型放射線撮影装置を選択して使用するように指示することを特徴とする放射線撮影管理システム。
【請求項３】
請求項１記載の放射線撮影管理システムにおいて、
前記選択指示手段は、前記複数の移動型放射線撮影装置のうち、劣化が最も少ない移動型放射線撮影装置を除く、他の移動型放射線撮影装置を選択して使用するように指示することを特徴とする放射線撮影管理システム。
【請求項４】
請求項１記載の放射線撮影管理システムにおいて、
前記選択指示手段は、
前記複数の移動型放射線撮影装置における複数の分析項目の少なくとも１つが対応するしきい値内にある場合に、前記複数の移動型放射線撮影装置の劣化具合が平均的になるように、前記複数の移動型放射線撮影装置のうち、使用すべき移動型放射線撮影装置を選択して使用するように指示し、
前記複数の移動型放射線撮影装置における複数の分析項目の全てがそれぞれ対応するしきい値から逸脱している場合に、前記複数の移動型放射線撮影装置のうち、特定の劣化が最も少ない移動型放射線撮影装置を除く、他の移動型放射線撮影装置を選択して使用するように指示することを特徴とする放射線撮影管理システム。
【請求項５】
請求項１〜４のいずれか１項に記載の放射線撮影管理システムにおいて、
さらに、読み取った少なくとも前記使用履歴に関する情報に基づいて、前記複数の移動型放射線撮影装置のうち、劣化が最も少ない移動型放射線撮影装置のＩＤ情報と、劣化が最も多い移動型放射線撮影装置のＩＤ情報を通知する手段を有することを特徴とする放射線撮影管理システム。
【請求項６】
バッテリと、放射線源と、被写体を透過した前記放射線源からの放射線を検出し、放射線画像情報に変換する放射線検出装置とを有する少なくとも１つの移動型放射線撮影装置を管理する放射線撮影管理方法において、
供給された撮影条件に基づいて、前記移動型放射線撮影装置で放射線撮影を行うための撮影計画を設定するステップと、
前記移動型放射線撮影装置の少なくとも使用履歴に関する情報を読み取るステップと、
読み取った少なくとも前記使用履歴に関する情報に基づいて、前記複数の移動型放射線撮影装置のうち、使用すべき移動型放射線撮影装置を選択して使用するように指示する選択指示ステップとを有することを特徴とする放射線撮影管理方法。
【発明の詳細な説明】
【技術分野】
【０００１】
本発明は、バッテリと、放射線源と、被写体を透過した前記放射線源からの放射線を検出し、放射線画像情報に変換する放射線検出装置とを有する少なくとも１つの移動型放射線撮影装置を例えば遠隔にて管理することが可能な放射線撮影管理システム及び放射線撮影管理方法に関する。
【背景技術】
【０００２】
医療分野において、被写体に放射線を曝射し、被写体を透過した放射線を放射線変換パネルに導いて放射線画像を撮影する放射線画像撮影装置が広汎に使用されている。この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００３】
一方、手術室等においては、患者に対して迅速且つ的確な処置を施すため、撮影後の放射線変換パネルから直ちに放射線画像を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
ところで、近年、医療現場では、病室からの移動が難しい重症患者の撮影や手術室での緊急撮影等の需要が増加しており、Ｘ線(レントゲン)撮影室以外の現場室（撮影現場室）で撮影した画像を医師が迅速且つ高画質で確認するニーズが高まってきている。
【０００５】
このようなニーズに応えるために、移動型Ｘ線撮影装置が提案されるに至っている。
【０００６】
例えば特許文献１には、バーコードリーダ１２でカセッテ情報を読み取る操作を行うことで、カセッテ情報と被検体情報が正確に対応付けられた出力を得るようにして、撮影技師から記入作業の煩わしさを解放すると共に記入ミスを防止し、露光済のフィルムカセッテから作成するＸ線写真への被検体情報の重畳表示に起因する作業の煩雑さや重畳表示の誤りを解消する例が開示されている。
【０００７】
特許文献２には、本体を走行可能にする台車と、被検体を透過したＸ線を画像信号に変換する平面検出器とを有する移動型Ｘ線装置が開示され、特に、平面検出器を、移動型Ｘ線装置に着脱自在に構成することで、１台の平面検出器を複数のＸ線装置本体と共用できるようにしている。また、この特許文献２の段落［００４９］には、ログ（履歴）として、「画像処理部６を構成する汎用コンピュータを利用することで、各Ｘ線装置の走行距離、撮影枚数、稼働時間、バッテリの充放電情報等の管理チェックも容易にできる。特に、ＬＡＮ等のネットワークに画像処理部６を繋ぐことにより、複数のＸ線装置の状態を把握管理することも可能となる。」との記載がある。
【０００８】
特許文献３には、バッテリの現ステータスを中央管理装置に伝える可搬式Ｘ線撮影システムが開示されている。特に、バッテリの残量を管理・考慮して、適したスケジュールを設定できることが記載されている（段落［００１１］参照）。
【０００９】
特許文献４には、バッテリから供給される電力によって駆動し、外部装置から撮影枚数を制御される放射線画像撮影装置において、ＲＩＳ端末から撮影情報を取得する場合に撮影可能枚数を予め計算し、撮影可能な撮影情報のみをＲＩＳ端末から取得することによって、ＲＩＳ端末から取得した撮影情報に係る撮影を確実に行うようにした放射線画像撮影装置が開示されている。
【００１０】
特許文献５には、移動型放射線撮影装置ではないが、Ｘ線撮影装置の機構関係の消耗品に関するリモートメンテナンスシステムが開示され、放射線管等の機械部品の使用回数や機械制御系のトラブルの検出についてログ（履歴）を採って、例えばＸ線撮影装置に備え付けられたＰＨＳで遠隔地に通知するシステムが記載されている。
【先行技術文献】
【特許文献】
【００１１】
【特許文献１】特開２００３−２１０４４６号公報
【特許文献２】特開２００７−５３５号公報
【特許文献３】特開２００８−１７３４７０号公報
【特許文献４】特開２００５−６８８８号公報
【特許文献５】特開２００１−８７２５６号公報
【発明の概要】
【発明が解決しようとする課題】
【００１２】
ところで、特許文献１に示すような回診用Ｘ線撮影装置においては、近年、バッテリを用いてＸ線曝射や台車の移動等を行うようにしている。そして、バッテリや台車の履歴をとる方法が特許文献２及び３に紹介されている。
【００１３】
しかしながら、バッテリを充電できる場所は院内でも限られた場所であり、例えば撮影中や台車（電動）で移動中にバッテリを使い切ってしまうと、バッテリを充電できる場所まで台車を移動しなければならず、その作業に手間取るという問題があった。そこで、特許文献３及び４では、バッテリの残量を管理してスケジューリングすることにより、上述のような問題を解決するようにしているが、実際の撮影で再撮影があった場合等、緊急に電力を消耗するような事態には対処できないという新たな問題がある。
【００１４】
一方、Ｘ線撮影装置（線源等）や関連する消耗品の使用状況（総曝射回数や、ｍＡｓ値等）を撮影時に収集したり、Ｘ線撮影機器の故障・トラブルを検出して、ログとして外部（院外等）に通知するシステムが特許文献５に記載されている。但し、この特許文献５は、移動型放射線撮影装置に関するものではない。また、特許文献１では、移動型放射線撮影装置において、各機器やバッテリの使用状況のログを収集してコンピュータで管理することもできる。しかし、移動型放射線撮影装置において収集される機器劣化や消耗品の使用頻度の情報を遠隔地で管理して、移動型放射線撮影装置を管理するシステムは現在のところ存在していない。
【００１５】
つまり、従来においては、過去の撮影履歴や技師情報等を総合的に処理し、撮影計画と保守計画を予測・立案することができなかった。特に、同一の医療機関に複数の移動型放射線撮影装置が設置されている場合において、どの移動型放射線撮影装置を選択して使用すべきかを管理する方法は存在していない。
【００１６】
本発明は、このような課題を考慮してなされたものであり、移動型放射線撮影装置の少なくとも使用履歴に関する情報から移動型放射線撮影装置の劣化状況や消耗品等の使用頻度の情報を遠隔地で管理することができ、しかも、同一の医療機関に複数の移動型放射線撮影装置が設置されている場合に、どの移動型放射線撮影装置を選択して使用すべきかを管理することができる放射線撮影管理システム及び放射線撮影管理方法を提供することを目的とする。
【課題を解決するための手段】
【００１７】
［１］  第１の本発明に係る放射線撮影管理システムは、バッテリと、放射線源と、被写体を透過した前記放射線源からの放射線を検出し、放射線画像情報に変換する放射線検出装置とをそれぞれ有する複数の移動型放射線撮影装置と、供給された撮影条件に基づいて、前記移動型放射線撮影装置で放射線撮影を行うための撮影計画を設定する手段と、前記移動型放射線撮影装置の少なくとも使用履歴に関する情報を読み取る情報読取手段と、読み取った少なくとも前記使用履歴に関する情報に基づいて、前記複数の移動型放射線撮影装置のうち、使用すべき移動型放射線撮影装置を選択して使用するように指示する選択指示手段とを有することを特徴とする。ここで、使用履歴に関する情報とは、移動型放射線撮影装置を使用するたびにリアルタイムに変化する走行距離、曝射数、バッテリ容量等の情報や、これらの情報を蓄積した情報を指す。
【００１８】
［２］  第１の本発明において、前記選択指示手段は、前記複数の移動型放射線撮影装置の劣化具合が平均的になるように、前記複数の移動型放射線撮影装置のうち、使用すべき移動型放射線撮影装置を選択して使用するように指示することを特徴とする。
【００１９】
［３］  第１の本発明において、前記選択指示手段は、前記複数の移動型放射線撮影装置のうち、劣化が最も少ない移動型放射線撮影装置を除く、他の移動型放射線撮影装置を選択して使用するように指示することを特徴とする。
【００２０】
［４］  第１の本発明において、前記選択指示手段は、前記複数の移動型放射線撮影装置における複数の分析項目の少なくとも１つが対応するしきい値内にある場合に、前記複数の移動型放射線撮影装置の劣化具合が平均的になるように、前記複数の移動型放射線撮影装置のうち、使用すべき移動型放射線撮影装置を選択して使用するように指示し、前記複数の移動型放射線撮影装置における複数の分析項目の全てがそれぞれ対応するしきい値から逸脱している場合に、前記複数の移動型放射線撮影装置のうち、特定の劣化が最も少ない移動型放射線撮影装置を除く、他の移動型放射線撮影装置を選択して使用するように指示することを特徴とする。
【００２１】
［５］  第１の本発明において、さらに、読み取った少なくとも前記使用履歴に関する情報に基づいて、前記複数の移動型放射線撮影装置のうち、劣化が最も少ない移動型放射線撮影装置のＩＤ情報と、劣化が最も多い移動型放射線撮影装置のＩＤ情報を通知する手段を有することを特徴とする。
【００２２】
［６］  第２の本発明に係る放射線撮影管理方法は、バッテリと、放射線源と、被写体を透過した前記放射線源からの放射線を検出し、放射線画像情報に変換する放射線検出装置とを有する少なくとも１つの移動型放射線撮影装置を管理する放射線撮影管理方法において、供給された撮影条件に基づいて、前記移動型放射線撮影装置で放射線撮影を行うための撮影計画を設定するステップと、前記移動型放射線撮影装置の少なくとも使用履歴に関する情報を読み取るステップと、読み取った少なくとも前記使用履歴に関する情報に基づいて、前記複数の移動型放射線撮影装置のうち、使用すべき移動型放射線撮影装置を選択して使用するように指示する選択指示ステップとを有することを特徴とする。
【発明の効果】
【００２３】
以上説明したように、本発明に係る放射線撮影管理システム及び放射線撮影管理方法によれば、移動型放射線撮影装置の少なくとも使用履歴に関する情報からバッテリの劣化状況や消耗品等の使用頻度の情報を遠隔地で管理することができ、しかも、同一の医療機関に複数の移動型放射線撮影装置が設置されている場合に、どの移動型放射線撮影装置を選択して使用すべきかを管理することができる。
【００２４】
つまり、本発明に係る放射線撮影管理システム及び放射線撮影管理方法によれば、様々な情報を多数の施設から集めて統計的に処理することで、より精度の高い（例えばバッテリ切れを起こしにくく、且つ、充電のために撮影を中断する回数が少ない）撮影計画を立案することができる。また、同様の情報から、保守計画についても、部品交換時期の予測を精度高く（例えば撮影に影響のない範囲でできるだけ長期間）することが可能となる。
【図面の簡単な説明】
【００２５】
【図１】本実施の形態に係る放射線撮影管理システムを示す構成図である。
【図２】１つの医療機関内のシステムの一例を示す構成図である。
【図３】第１移動型放射線撮影装置を使用している状態を示す説明図である。
【図４】第１移動型放射線撮影装置のコンソールの構成を示す機能ブロック図である。
【図５】電子カセッテの内部構成を示す説明図である。
【図６】電子カセッテの送受信端末の構成を示す機能ブロック図である。
【図７】電子カセッテに収容される放射線検出器とカセッテ制御装置の構成を示す機能ブロック図である。
【図８】第２移動型放射線撮影装置を使用している状態を示す説明図である。
【図９】第２移動型放射線撮影装置のコンソールの構成を示す機能ブロック図である。
【図１０】画像読取装置を示す構成図である。
【図１１】コンソール制御部の要部構成を示す機能ブロック図である。
【図１２】中央管理部の要部構成を示す機能ブロック図である。
【図１３】使用すべき移動型放射線撮影装置の選択処理を示すフローチャートである。
【図１４】起動した移動型放射線撮影装置を使用して、放射線撮影を行いながら最適な撮影計画を作成し直していく処理、及び保守計画を更新する処理を示すフローチャート（その１）である。
【図１５】起動した移動型放射線撮影装置を使用して、放射線撮影を行いながら最適な撮影計画を作成し直していく処理、及び保守計画を更新する処理を示すフローチャート（その２）である。
【図１６】第１フィードバック部での処理を示すフローチャートである。
【図１７】第１イベント発生時における第２フィードバック部での処理を示すフローチャートである。
【図１８】第２イベント発生時における第２フィードバック部での処理を示すフローチャートである。
【図１９】第３イベント発生時における第２フィードバック部での処理を示すフローチャートである。
【図２０】電子カセッテの他の構成図である。
【図２１】電子カセッテの充電を行うクレードルの他の構成図である。
【発明を実施するための形態】
【００２６】
以下、本発明に係る放射線撮影管理システム、放射線撮影管理方法及び移動型放射線撮影装置の実施の形態例を図１〜図２１を参照しながら説明する。
【００２７】
本実施の形態に係る放射線撮影管理システム１０は、図１に示すように、１以上の医療機関１２（医師、歯科医師等が医療行為を行う施設である医院、病院、診療所を含む）と外部の中央管理部１４とが公衆回線網１６にて接続された形態を有する。
【００２８】
各医療機関１２内には、図２に示すように、イントラネットとして用いられるＬＡＮ（医療機関内通信網）１８と、公衆回線網１６に接続される移動通信網２０の２つの通信網が設置されている。ＬＡＮ１８と移動通信網２０とは相互にデータ通信可能に接続されている。
【００２９】
また、各医療機関１２内には、本実施の形態に係る移動型放射線撮影装置２２が少なくとも１台備えられている。この移動型放射線撮影装置２２は、医療機関１２内の病室２４内、通路２６、診察室２８（診療科室）内、手術室３０内、管理室３２内、及び撮影室３４（Ｘ線撮影室、放射線撮影室）内を移動可能に構成されている。図２では、図面の制約から、代表的に、病室２４、診察室２８、手術室３０、管理室３２及び撮影室３４を１つのフロアに描いた例を示しているが、規模の大きい病院等であれば、病棟と管理棟というように、病室２４と管理室３２等の建屋が別であったり、フロアが異なっている場合等がある。
【００３０】
ＬＡＮ１８は、病室２４、診察室２８、手術室３０及び図示しない固定型の放射線撮影装置が収容される撮影室３４の各制御装置であるコンソール３６（コンピュータを含む）に接続されると共に、管理室３２に配置されたサーバ３８に接続されている。サーバ３８は、例えば医療機関１２内の放射線科において取り扱われる放射線画像情報やその他の情報を統括的に管理する。
【００３１】
移動通信網２０には、複数の基地局４０が接続され、各基地局４０は、隣り合う基地局４０の通信範囲４２の一部が重複するように病院内に配置されている。
【００３２】
ただし、基地局４０の通信範囲４２は、病室２４内、診察室２８内、手術室３０内、撮影室３４内には、及ばないように配置構成されている。管理室３２内及び通路２６上に通信範囲４２が及ぶように配置構成されている。
【００３３】
つまり、この医療機関１２では、サーバ３８に被検者の個人情報（名前や年齢や病状等）が記録され、移動型放射線撮影装置２２を使って放射線撮影したい被検者名・撮影部位・撮影手技等を医師又は技師がサーバ３８に接続された図示しない中央コンピュータ上で選択入力すると、その情報が移動型放射線撮影装置２２のコンソール５２（図３及び８参照）に転送されることとなる。また、サーバ３８に接続された中央コンピュータは、移動型放射線撮影装置２２のコンソール５２にて収集される履歴情報等が受信できるようになっている。さらに、この中央コンピュータは外部の中央管理部１４とも通信可能に接続されていることから、上述の履歴情報や被検者の個人情報・撮影履歴情報等も送信可能である。
【００３４】
図３は、例として病室２４内で移動型放射線撮影装置２２を使用している状態の説明図を示す。移動型放射線撮影装置２２は、使用しないときは、バッテリへの充電や交換等が容易に行える例えば管理室３２に置かれており、使用時は、例えば台車４４に一体的に載せられた状態で病室２４内等に移動可能となっている。
【００３５】
移動型放射線撮影装置２２は、２つのタイプ（第１移動型放射線撮影装置２２Ａ及び第２移動型放射線撮影装置２２Ｂ）がある。第１移動型放射線撮影装置２２Ａは、放射線を直接電気信号に変換し、あるいは、放射線をシンチレータで可視光に変換した後、電気信号に変換して読み出す固体検出素子を具備した放射線検出器４６を用いた装置であり（図３参照）、第２移動型放射線撮影装置２２Ｂは、蛍光体に放射線画像としての放射線エネルギを蓄積し、励起光を照射することで放射線画像を輝尽発光光として取り出すことのできる蓄積性蛍光体パネル４８を用いた装置である（図８参照）。なお、以下の説明では、第１移動型放射線撮影装置２２Ａ及び第２移動型放射線撮影装置２２Ｂを総称して移動型放射線撮影装置２２と記す。
【００３６】
第１移動型放射線撮影装置２２Ａは、図３に示すように、台車４４に、移動機構５０と、コンソール５２と、放射線源制御装置５４と、クレードル５６と、バッテリ５８とが搭載されている。
【００３７】
移動機構５０は、台車４４の下部に設置された車輪６０、図示しない駆動モータ、該駆動モータの回転力を車輪に伝えるベルトや減速機等を有する。コンソール５２は、放射線画像情報を撮影するための撮影情報等を入力するための図示しない入力装置（キーボードや座標入力装置）、入力データや後述する撮影条件（撮影メニュー）、撮影計画、保守計画を表示するディスプレイ６２を備えている。放射線源制御装置５４は、コンソール５２から供給された撮影情報に従って放射線源６４を制御し、被検者６６（患者）に放射線Ｘを照射する。クレードル５６は、被検者６６を透過した放射線Ｘが照射されることで放射線画像情報が記録される放射線検出器４６を内蔵したカセッテ（以下、電子カセッテ６８と記す）が装着される。バッテリ５８は、駆動モータ、コンソール５２、放射線源６４、放射線源制御装置５４に電力を供給するほか、クレードル５６を介して電子カセッテ６８に対して電力を供給する。
【００３８】
放射線源６４は、アーム部材７０を介して放射線源制御装置５４に連結される。放射線源６４にはさらに撮影領域を表示するための電灯７１が併設されている。また、バッテリ５８には、充電器７２が接続されており、必要に応じてバッテリ５８の充電を行うことができるようになっている。バッテリ５８は、一般に、鉛蓄電池が使用され、この場合、バッテリ５８の充電は時間がかかることから、管理室３２で行われる。従って、移動型放射線撮影装置２２を使用する場合は、管理室３２から出発して撮影計画に従った１つ以上の部屋（病室２４、診察室２８、手術室３０、撮影室３４等）を経由して、充電のために再び管理室３２に戻るというルート（移動ルート）をたどる。なお、台車４４には、該台車４４が移動しているかどうか等を検出するための速度センサ７４やＧＰＳ装置等の位置センサ７６、台車４４が壁や机、ベッド等に接触（衝突等を含む）したかどうかを検知する接触センサ７８（リミッタスイッチ）が搭載されている。
【００３９】
図４は、第１移動型放射線撮影装置２２Ａのコンソール５２の機能ブロック図である。コンソール５２は、コンソール制御装置８０と、送受信部８２と、撮影スイッチ８４と、撮影のためのオーダリング情報を管理するオーダリング管理部８６と、当該移動型放射線撮影装置２２を特定するためのＩＤ情報を記憶するＩＤメモリ８８とを備える。
【００４０】
コンソール制御装置８０は、クレードル５６に設けられたコネクタ９０を通じて当該クレードル５６に装着され、コネクタ９０に電気的に接続された電子カセッテ６８に対し、電子カセッテ６８側のコネクタ９２を通じてバッテリ５８から電力を供給すると共に、カセッテ制御装置９４（図７参照）を通じて電子カセッテ６８と交信する。コンソール制御装置８０には、上述の速度センサ７４、位置センサ７６及び接触センサ７８が接続されている。
【００４１】
また、コンソール制御装置８０は、送受信部８２及び移動通信網２０を通じて、外部の中央管理部１４との間及び管理室３２内のサーバ３８との間で信号の送受ができるようになっている。
【００４２】
コンソール５２には、入力装置を介して技師の情報（名前やＩＤ）を入力することができ、これから回診をスタートするという際に、技師は自分の名前を選択し登録することができる。技師の情報の登録は、技師が例えばバーコート付きのＩＤカードを携帯していれば、コンソール５２に備え付けられた例えばバーコードリーダで登録してもよい。
【００４３】
図５は、第１移動型放射線撮影装置２２Ａにて使用される電子カセッテ６８の内部構成図である。電子カセッテ６８は、放射線Ｘを透過させる材料からなるケーシング１００を備える。ケーシング１００の内部には、放射線Ｘが照射されるケーシング１００の照射面１０２側から、被検者６６による放射線Ｘの散乱線を除去するグリッド１０４、被検者６６を透過した放射線Ｘを検出する放射線検出器４６、放射線Ｘのバック散乱線を吸収する鉛板１０５が順に配設される。なお、ケーシング１００の照射面１０２をグリッド１０４として構成してもよい。
【００４４】
また、ケーシング１００の内部には、電子カセッテ６８の電源であるバッテリ１０６と、該バッテリ１０６から供給される電力により放射線検出器４６を駆動制御するカセッテ制御装置９４と、放射線検出器４６によって検出した放射線Ｘの情報を含む信号を移動通信網２０を通じて管理室３２内のサーバ３８との間で送受する送受信端末１０８とが収容される。カセッテ制御装置９４には、コネクタ９２が取り付けられており、電子カセッテ６８のバッテリ１０６と送受信端末１０８のバッテリ１１４（図６参照）は、それぞれ、第１移動型放射線撮影装置２２Ａのバッテリ５８からクレードル５６のコネクタ９０（図４参照）、電子カセッテ６８のコネクタ９２及びカセッテ制御装置９４を通じて充電される。また、上述したように、カセッテ制御装置９４とコンソール制御装置８０とはコネクタ９２及びコネクタ９０を通じて交信する。
【００４５】
なお、カセッテ制御装置９４には、放射線Ｘが照射されることによる損傷を回避するため、ケーシング１００の照射面１０２側に鉛板等を配設しておくことが好ましい。
【００４６】
図６は、電子カセッテ６８に配置された送受信端末１０８の機能ブロック図である。送受信端末１０８としては、既存の携帯端末であるＰＨＳ端末を利用することもできる。
【００４７】
この送受信端末１０８は、マイクロコンピュータ（ＣＰＵとフラッシュメモリ等の不揮発性の記憶手段であるメモリ１１０等を備える）を有する端末制御部１１２とバッテリ１１４とを備えている。
【００４８】
端末制御部１１２には、操作スイッチ等を有する操作部１１６と、液晶表示器からなる表示部１１８とが接続されている。なお、送受信端末１０８は、表示部１１８が外部から見える状態で電子カセッテ６８に配置することが好ましい。
【００４９】
端末制御部１１２には、また、アンテナ１２０により受波した電波（ＲＦ信号）をアンテナ共用器１２２を介して受信し、中間周波信号にした後、復調し、受信データとして当該端末制御部１１２に出力する受信部１２４が接続されている。この場合、端末制御部１１２は、一定周期で受信部１２４からの信号を監視し、受信データが送信されてきた場合には受信部１２４により受信させ、表示部１１８上にその内容を表示する。
【００５０】
さらに、端末制御部１１２には、画像メモリ１２６（図７参照）から読み出されたデータ（放射線画像情報等）を変調し、中間周波数信号からＲＦ信号に変換し、これを電波としてアンテナ共用器１２２を介してアンテナ１２０から放射する送信部１２８が接続されている。
【００５１】
さらにまた、端末制御部１１２には、受信部１２４と送信部１２８のミキサ回路の局部発振周波数を出力する周波数シンセサイザ１３０が接続されている。
【００５２】
図７は、電子カセッテ６８に収容される放射線検出器４６とカセッテ制御装置９４の機能ブロック図である。放射線検出器４６は、放射線Ｘを感知して電荷を発生させるアモルファスセレン（ａ−Ｓｅ）等の物質からなる光電変換層１３２を行列状の薄膜トランジスタ（ＴＦＴ：Ｔｈｉｎ  Ｆｉｌｍ  Ｔｒａｎｓｉｓｔｏｒ）１３４のアレイの上に配置した構造を有し、発生した電荷を蓄積容量１３６に蓄積した後、各行毎にＴＦＴ１３４を順次オンにして、電荷を画像信号として読み出す。図７では、光電変換層１３２及び蓄積容量１３６からなる１つの画素１３８と１つのＴＦＴ１３４との接続関係のみを示し、その他の画素１３８の構成については省略している。なお、アモルファスセレンは、高温になると構造が変化して機能が低下してしまうため、所定の温度範囲内で使用する必要がある。従って、電子カセッテ６８内に放射線検出器４６を冷却する手段を配設することが好ましい。
【００５３】
各画素１３８に接続されるＴＦＴ１３４には、行方向と平行に延びるゲート線１４０と、列方向と平行に延びる信号線１４２とが接続される。各ゲート線１４０は、ライン走査駆動部１４４に接続され、各信号線１４２は、読取回路を構成するマルチプレクサ１４６に接続される。
【００５４】
ゲート線１４０には、行方向に配列されたＴＦＴ１３４をオンオフ制御する制御信号Ｖｏｎ、Ｖｏｆｆがライン走査駆動部１４４から供給される。この場合、ライン走査駆動部１４４は、ゲート線１４０を切り替える複数のスイッチＳＷ１と、スイッチＳＷ１の１つを選択する選択信号を出力するアドレスデコーダ１４８とを備える。アドレスデコーダ１４８には、カセッテ制御装置９４からアドレス信号が供給される。
【００５５】
また、信号線１４２には、列方向に配列されたＴＦＴ１３４を介して各画素１３８の蓄積容量１３６に保持されている電荷が流出する。この電荷は、増幅器１５０によって増幅される。増幅器１５０には、サンプルホールド回路１５２を介してマルチプレクサ１４６が接続される。マルチプレクサ１４６は、信号線１４２を切り替える複数のスイッチＳＷ２と、スイッチＳＷ２の１つを選択する選択信号を出力するアドレスデコーダ１５４とを備える。アドレスデコーダ１５４には、カセッテ制御装置９４からアドレス信号が供給される。マルチプレクサ１４６には、Ａ／Ｄ変換器１５６が接続され、Ａ／Ｄ変換器１５６によってデジタル信号に変換された放射線画像情報がカセッテ制御装置９４に供給される。
【００５６】
カセッテ制御装置９４は、放射線検出器４６を構成するライン走査駆動部１４４のアドレスデコーダ１４８及びマルチプレクサ１４６のアドレスデコーダ１５４に対してアドレス信号を供給するアドレス信号発生部１５８と、放射線検出器４６によって検出された放射線画像情報を記憶する画像メモリ１２６と、当該電子カセッテ６８を特定するためのカセッテＩＤ情報を記憶するカセッテＩＤメモリ１６０と、インタフェース１６２とを備える。
【００５７】
インタフェース１６２は、送受信端末１０８を通じて放射線画像情報の送信要求信号を受信する一方、カセッテＩＤメモリ１６０に記憶されたカセッテＩＤ情報、画像メモリ１２６に記憶された放射線画像情報を送受信端末１０８を通じて送信する。
【００５８】
一方、第２移動型放射線撮影装置２２Ｂは、図８に示すように、上述した第１移動型放射線撮影装置２２Ａとほぼ同様の構成を有するが、クレードル５６の代わりに画像読取装置１７０が設置されている点で異なる。この場合、コンソール制御装置８０は、図９に示すように、画像読取装置１７０に設けられたコネクタ１７２を通じて該画像読取装置１７０に装着され、バッテリ５８から電力を画像読取装置１７０に供給すると共に、画像読取装置１７０と交信する。
【００５９】
この画像読取装置１７０は、図９に示すように、放射線撮影によって蓄積性蛍光体パネル４８に蓄積された放射線エネルギを、励起光を照射することにより、放射線画像情報として読み取る読取部１７４と、該読取部１７４にて読み取られた放射線画像情報を記憶する画像メモリ１７６と、該画像メモリ１７６に記憶された放射線画像情報に対して画像処理（補正処理を含む）を行う画像処理部１７８と、当該画像読取装置１７０を特定するための読取装置ＩＤ情報を記憶する読取装置ＩＤメモリ１８０と、インタフェース１８２と、少なくとも放射線画像情報を含む信号を移動通信網２０を通じて管理室３２内のサーバ３８に送信する送受信端末１８４とを備える。
【００６０】
また、この画像読取装置１７０は、図１０に示すように、ケーシング１８６の上部に、カセッテ装填部１８８が配設される。カセッテ装填部１８８に形成された装填口１９０には、放射線画像情報が蓄積記録された蓄積性蛍光体パネル４８を収納したカセッテ１９２が装填される。装填口１９０に近接して、カセッテ１９２に配設されたバーコードの識別情報を読み取るバーコードリーダ１９４と、カセッテ１９２の蓋部材１９６のロックを解除するロック解除機構１９８と、蓋部材１９６が開蓋されたカセッテ１９２から蓄積性蛍光体パネル４８を吸着して取り出す吸着盤２００と、該吸着盤２００によって取り出された蓄積性蛍光体パネル４８を挟持搬送するニップローラ２０２とが配設される。
【００６１】
ニップローラ２０２に連設して、複数の搬送ローラ２０４ａ〜２０４ｇ及び複数のガイド板２０６ａ〜２０６ｆが配設され、これらにより湾曲搬送路２０８が構成される。湾曲搬送路２０８は、カセッテ装填部１８８から下方向に延在した後、最下部において略水平状態となり、次いで、略鉛直上方向に延在する。これにより、画像読取装置１７０の小型化が図られている。
【００６２】
ニップローラ２０２と搬送ローラ２０４ａとの間には、読取処理が終了した蓄積性蛍光体パネル４８に残存する放射線画像情報を消去するための消去部２１０が配設される。消去部２１０は、消去光を出力する冷陰極管等の消去光源２１２を有する。
【００６３】
湾曲搬送路２０８の最下部に配設される搬送ローラ２０４ｄ、２０４ｅ間には、プラテンローラ２１４が配設される。そして、プラテンローラ２１４の上部には、蓄積性蛍光体パネル４８に蓄積記録された放射線画像情報を読み取る走査ユニット２１６が配設される。
【００６４】
走査ユニット２１６は、励起光であるレーザビームＬＢを導出して蓄積性蛍光体パネル４８を走査する励起部２１８と、レーザビームＬＢによって励起されて出力される放射線画像情報に係る輝尽発光光を読み取る読取部１７４とを備える。
【００６５】
励起部２１８は、レーザビームＬＢを出力するレーザ発振器２２０と、レーザビームＬＢを蓄積性蛍光体パネル４８の主走査方向に偏向する回転多面鏡であるポリゴンミラー２２２と、レーザビームＬＢを反射させ、プラテンローラ２１４上を通過する蓄積性蛍光体パネル４８に導く反射ミラー２２４とを備える。
【００６６】
読取部１７４は、一端部がプラテンローラ２１４上の蓄積性蛍光体パネル４８に近接して配置される集光ガイド２２６と、集光ガイド２２６の他端部に連結され、蓄積性蛍光体パネル４８から得られた輝尽発光光を電気信号に変換するフォトマルチプライヤ２２８とを備える。なお、集光ガイド２２６の一端部には、輝尽発光光の集光効率を高めるための集光ミラー２３０が近接して配設される。フォトマルチプライヤ２２８によって読み取られた放射線画像情報は、該画像読取装置１７０内に設置された画像処理部において画像処理（補正処理を含む）が行われるようになっている。読取部１７４からの放射線画像情報は、図９に示すように、画像メモリ１７６に記憶され、さらに画像処理部１７８によって画像処理されて読取装置ＩＤ情報と共に送受信端末１８４及び移動通信網２０を通じて管理室３２内のサーバ３８に送信される。
【００６７】
ここで、移動型放射線撮影装置２２を使用して放射線撮影を行う場合の動作について説明する。
【００６８】
移動型放射線撮影装置２２は、例えば、医師による病室２４の回診中に、被検者６６の放射線画像の撮影が必要となった際に使用される。そのため、撮影対象である被検者６６の被検者情報は、撮影に先立ち、コンソール５２のオーダリング管理部８６（図４及び図８参照）に予め登録しておく。また、撮影部位や撮影方法が予め決まっている場合にも、これらの撮影条件をオーダリング管理部８６に予め登録しておく。以上の準備作業が終了した状態において、被検者６６に対する放射線撮影が遂行される。
【００６９】
例えば第１移動型放射線撮影装置２２Ａを使って放射線画像の撮影を行う場合、医師又は担当する放射線技師（技師）は、被検者６６を挟んで放射線源６４と対向する所定位置に、照射面１０２（図５参照）を放射線源６４側とした状態で電子カセッテ６８を設置する。次いで、撮影スイッチ８４を操作して撮影を行う。第２移動型放射線撮影装置２２Ｂにおいても同様である。
【００７０】
放射線源制御装置５４は、コンソール５２のオーダリング管理部８６より当該被検者６６の撮影部位に係る撮影条件をコンソール制御装置８０を通じて取得し、取得した撮影条件に従って放射線源６４を制御することにより、所定の線量からなる放射線Ｘを被検者６６に照射する。
【００７１】
そして、第１移動型放射線撮影装置２２Ａにおいて、被検者６６を透過した放射線Ｘは、電子カセッテ６８のグリッド１０４によって散乱線が除去された後、放射線検出器４６に照射され、放射線検出器４６を構成する各画素１３８の光電変換層１３２によって電気信号に変換され、蓄積容量１３６に電荷として保持される（図７参照）。次いで、各蓄積容量１３６に保持された被検者６６の放射線画像情報である電荷情報は、カセッテ制御装置９４を構成するアドレス信号発生部１５８からライン走査駆動部１４４及びマルチプレクサ１４６に供給されるアドレス信号に従って読み出される。
【００７２】
すなわち、ライン走査駆動部１４４のアドレスデコーダ１４８は、アドレス信号発生部１５８から供給されるアドレス信号に従って選択信号を出力してスイッチＳＷ１の１つを選択し、対応するゲート線１４０に接続されたＴＦＴ１３４のゲートに制御信号Ｖｏｎを供給する。一方、マルチプレクサ１４６のアドレスデコーダ１５４は、アドレス信号発生部１５８から供給されるアドレス信号に従って選択信号を出力してスイッチＳＷ２を順次切り替え、ライン走査駆動部１４４によって選択されたゲート線１４０に接続された各画素１３８の蓄積容量１３６に保持された電荷情報である放射線画像情報を信号線１４２を介して順次読み出す。
【００７３】
放射線検出器４６の選択されたゲート線１４０に接続された各画素１３８の蓄積容量１３６から読み出された放射線画像情報は、各増幅器１５０によって増幅された後、各サンプルホールド回路１５２によってサンプルホールドされ、マルチプレクサ１４６を介してＡ／Ｄ変換器１５６に供給され、デジタル信号に変換される。
【００７４】
デジタル信号に変換された放射線画像情報は、カセッテ制御装置９４の画像メモリ１２６に一旦記憶される。
【００７５】
同様にして、ライン走査駆動部１４４のアドレスデコーダ１４８は、アドレス信号発生部１５８から供給されるアドレス信号に従ってスイッチＳＷ１を順次切り替え、各ゲート線１４０に接続されている各画素１３８の蓄積容量１３６に保持された電荷情報である放射線画像情報を信号線１４２を介して読み出し、マルチプレクサ１４６及びＡ／Ｄ変換器１５６を介してカセッテ制御装置９４の画像メモリ１２６に記憶させる。
【００７６】
放射線撮影後の電子カセッテ６８は、第１移動型放射線撮影装置２２Ａのクレードル５６に装着される。
【００７７】
このとき、クレードルのコネクタ９０及び電子カセッテのコネクタ９２同士が接続されると、コンソール制御装置８０は、オーダリング管理部８６に登録されている被検者６６の被検者情報をコネクタ９０及びコネクタ９２を通じて電子カセッテ６８のインタフェース１６２（図７参照）に供給する。インタフェース１６２は、画像メモリ１２６に記憶されている放射線画像情報と被検者情報とを関連付け、関連付けた状態の放射線画像情報を画像メモリ１２６に記憶する。
【００７８】
この後、インタフェース１６２は、送受信端末１０８を通じての移動通信網２０への放射線画像情報の転送を許可するが、病室２４内が通信範囲４２内になっていないので、病室２４内で送受信端末１０８から放射線画像情報の送信処理が行われることはない。
【００７９】
当該第１移動型放射線撮影装置２２Ａが病室２４を出て、電子カセッテ６８（の送受信端末１０８）が、移動通信網２０の該当基地局４０の通信範囲４２に入ると、換言すれば、送受信端末１０８が該当基地局４０の所定の電波強度を受信したとき、その旨をインタフェース１６２（カセッテ制御装置９４）に伝える。
【００８０】
これにより、インタフェース１６２は、画像メモリ１２６から放射線画像情報を読み出し、送受信端末１０８の端末制御部１１２（図６参照）に転送する。端末制御部１１２は、画像メモリ１２６からインタフェース１６２を通じて転送されてきた放射線画像情報を送信部１２８、アンテナ共用器１２２、及びアンテナ１２０を通じて通信範囲４２を有する該当基地局４０に送信する。該当基地局４０は、受信した放射線画像情報を移動通信網２０、及びＬＡＮ１８を通じて管理室３２のサーバ３８に転送する。
【００８１】
一方、第２移動型放射線撮影装置２２Ｂにおいては、放射線撮影後のカセッテ１９２が、第２移動型放射線撮影装置２２Ｂの画像読取装置１７０に装着され、カセッテ１９２内の蓄積性蛍光体パネル４８に蓄積された放射線画像情報が読み取られて画像メモリ１７６（図９参照）に記憶される。そして、この場合も、放射線画像情報と被検者情報とが関連付けられて送受信端末１８４、基地局４０、移動通信網２０及びＬＡＮ１８を通じて管理室３２のサーバ３８に転送される。
【００８２】
管理室３２のサーバ３８に転送された放射線画像情報は、ＬＡＮ１８を通じて、例えば、診察室２８のコンソール３６を利用する医師等により診察等の利用に即座に供することができる。
【００８３】
なお、図２に示すように、例えば、移動型放射線撮影装置２２が病室２４から診察室２８あるいは図示しない次の病室２４への通路２６上の移動中に、隣り合う基地局４０、４０の通信範囲４２、４２が重なるように構成されているので、電波強度の強い方の通信範囲４２に順次切り替えて移動することができることから、通路２６の移動中に通信が途切れることなく放射線画像情報をサーバ３８に転送することができる。従って、次の病室２４での放射線画像情報の撮影の際には、同一の電子カセッテ６８の画像メモリ１２６や画像読取装置１７０の画像メモリ１７６に上書き記憶することができる。これにより、電子カセッテ６８の画像メモリ１２６及び画像読取装置１７０の画像メモリ１７６の容量を、１枚分の放射線画像情報を記録可能なメモリ容量にすることが可能となる。
【００８４】
つまり、電子カセッテ６８に搭載される画像メモリ１２６及び画像読取装置１７０の画像メモリ１７６の記憶容量が小さい場合（１撮影分）であっても、複数の病室２４の被検者６６の各放射線画像情報を遅滞なく放射線画像の収集設備であるサーバ３８に送信することができる。
【００８５】
電子カセッテ６８や画像読取装置１７０が病室２４内に存在するか否か、すなわち、病室２４から退出したかどうかを判定するのに通信範囲４２により判定する他、例えば、電子カセッテ６８や画像読取装置１７０に、ＲＦＩＤカードを取り付けておき、このＲＦＩＤカードの読取装置を病室２４のドア近傍に取り付けておくことで、退出検出機構を構成するようにすることもできる。電子カセッテ６８や画像読取装置１７０のＲＦＩＤカードの電波を前記読取装置により検出したとき、移動中であると判断することができる。
【００８６】
また、電子カセッテ６８や画像読取装置１７０が移動中であるかどうかの判断は、電子カセッテ６８がクレードル５６を通じてコンソール５２に接続されているとき、あるいはカセッテ６８が画像読取装置１７０に装填されているときに、コンソール制御装置８０により、速度センサ７４及び（又は）位置センサ７６を通じて移動型放射線撮影装置２２が移動していると判断したとき、電子カセッテ６８や画像読取装置１７０の移動中であると判断するようにしてもよい。
【００８７】
そして、移動型放射線撮影装置２２のコンソール制御装置８０は、上述した各種手段のほかに、図１１に示すように、当該移動型放射線撮影装置２２の使用履歴や保守履歴等の履歴情報（ログ）を記憶するログメモリ２５０と、設定又は変更された撮影計画や保守計画を記憶する計画情報メモリ２５２と、オーダリング情報等に基づいて撮影計画及び保守計画を作成する計画情報作成部２５４と、ＩＤ情報、オーダリング情報、履歴情報等を分析要求指示と共に外部の中央管理部１４に送信する情報送信部２５６と、中央管理部１４での分析結果（オーダリング情報及び履歴情報等に基づいて少なくともバッテリに関して分析した結果を含む）を受け取る分析結果受取部２５８と、移動型放射線撮影装置２２の起動時に受け取った分析結果を撮影計画に反映させる第１フィードバック部２６０と、移動型放射線撮影装置２２の起動後のイベント発生時に受け取った分析結果を撮影計画に反映させる第２フィードバック部２６２と、移動型放射線撮影装置２２の終了時に受け取った分析結果を保守計画に反映させる第３フィードバック部２６４と、イベントが発生するたびに、バッテリ容量を更新予測する容量更新予測部２６６と、受け取った分析結果に基づいて使用すべき移動型放射線撮影装置２２を選択指示するガイダンス部２６８とを備える。イベント発生時としては、例えば技師が移動型放射線撮影装置２２を１つの病室２４に移動させて１人の被検者６６に対する放射線撮影の準備を行っている時点、１人の被検者６６に対する放射線撮影を終えた時点、新たな撮影メニューが追加（被検者の追加を含む）された時点等がある。また、ガイダンス部２６８は、１つの医療機関１２内に２台以上の移動型放射線撮影装置２２が存在する場合に設置される。このガイダンス部２６８は、管理室３２のサーバ３８に接続された中央コンピュータに設置してもよい。この場合、使用予定の移動型放射線撮影装置２２のＩＤ情報を中央管理部１４に送信するＩＤ送信部と共に設置すれば、移動型放射線撮影装置２２を起動せずに、事前に使用すべき移動型放射線撮影装置２２を知ることができる。
【００８８】
オーダリング情報には、放射線源６４による撮影に必要な撮影メニュー、移動型放射線撮影装置２２を操作する技師に関する技師情報、被検者６６（患者）に関する被検者情報が含まれる。
【００８９】
撮影メニューは、被検者６６の撮影部位に対して、適切な線量からなる放射線Ｘを照射するための管電圧、管電流、照射時間等を決定するための条件であり、例えば、撮影部位、撮影方法等の条件を挙げることができる。さらに、本実施の形態では、優先度が設定できるようになっている。技師情報は、当該技師の熟練度が挙げられる。熟練度としては、再撮影の頻度（再撮影率）や経験年数が挙げられる。被検者情報は、個人情報、病棟情報、過去の再撮影情報等が挙げられる。個人情報としては、被検者６６の年齢、病歴、体格、体脂肪率、性別等であり、病棟情報としては被検者がいる病室２４の位置等であり、過去の再撮影情報は、いままで再撮影を何度行ったかの情報である。
【００９０】
移動型放射線撮影装置２２の使用履歴は、バッテリ５８の使用回数（充電回数）、放射線源６４の使用回数（曝射数）、台車４４の通算走行距離、台車４４の加減速の回数、台車４４の接触回数（衝突回数）、読取機（電子カセッテ６８又は画像読取装置１７０）の種類、移動型放射線撮影装置２２のロット情報等が挙げられる。
【００９１】
例えばバッテリ５８に関しては、バッテリ容量の残量を検出するセンサが設置されていれば、バッテリ５８の残量を定期的（イベント発生毎；例えば、撮影・移動開始・停止時・読取動作時等）に計測して、以下の履歴表を作成してログメモリ２５０に残す。
【００９２】
【表１】
2011030660.tif 000003
【００９３】
また、走行距離や加減速の回数の履歴は、上述のバッテリ５８とほぼ同じような履歴表を作成してログメモリ２５０に記録する。移動距離は、速度センサ７４、車輪６０の回転数等からカウンタにて計数することで得られ、加減速の回数は、急ブレーキや急加速を検出するセンサからの出力をカウンタにて計数することで得ることができる。この場合も、イベント発生毎に記録するようにしてもよい。
【００９４】
接触回数の履歴（障害物にぶつかって、動力が停止した履歴）については、接触センサ７８からの出力をカウンタにて計数すると共に、その時刻等を記録する等が挙げられる。
【００９５】
読取機（電子カセッテ６８や画像読取装置１７０）の動作に関する履歴は、バッテリ５８の情報と統合してもよい。つまり、何時何分に動作したかを記録する等である。
【００９６】
その他、電灯７１の履歴については、撮影領域を表示するための電灯７１の使用回数を計数することが挙げられる。もちろん、計数値をディスプレイ６２に表示するようにしてもよい。
【００９７】
放射線源６４の使用履歴については、放射線撮影時のｍＡｓ値・管電圧を収集する。ｍＡｓ値・管電圧の収集方法は、撮影時に設定される値を自動収集できるシステムを使用してもよいし、フォトタイマー等を撮影時に設置して実測値を採り、その結果を収集してもよい。曝射の回数は、撮影スイッチ８４が押された回数をカウントする機構を設けたり、撮影のための回路に電流・電圧があるしきい値を超えた回数をカウントして、コンソール５２にフィードバックするシステムでもよい。
【００９８】
また、使用履歴として、下記のような移動型放射線撮影装置２２固有の情報も管理するようにしてもよい。下記の情報は、技師が入力装置を介して入力したり、サービスマンが部品を交換すると、使用履歴の情報を書き換えるような運用が考えられる。
・線源（ターゲット、フィルタ、フィラメント）の材料
・再撮影の回数（技師情報と関連付けて保存）
・ロット情報：移動型放射線撮影装置自体のロット情報やバッテリ等の部品単位のロット情報等
・保守履歴（線源のターゲットをいつ交換したか等の情報）
【００９９】
そして、例えば使用履歴のバッテリ５８の使用回数（充電回数）は、技師が入力装置を介して充電回数を更新入力してもよいし、別途、バッテリ５８の充電を計数するカウンタを設けて、カウンタの計数値から得るようにしてもよい。バッテリ５８の使用回数は、新品に交換した時点あるいは修理を行った時点で０にリセットされる。放射線源６４の使用回数（曝射数）は、技師が入力装置を介して曝射数を更新入力してもよいし、別途、線源による曝射を計数するカウンタを設けて、カウンタの計数値から得るようにしてもよい。放射線源６４の使用回数は、新品に交換した時点あるいは修理を行った時点で０にリセットされる。電灯７１の使用回数は、技師が入力装置を介して使用回数を更新入力してもよいし、別途、電灯７１のスイッチのＯＮ操作を計数するカウンタを設けて、カウンタの計数値から得るようにしてもよい。電灯７１の使用回数は、新品に交換した時点あるいは修理を行った時点で０にリセットされる。台車４４の通算走行距離は速度センサ７４からの出力信号を積分した結果を積算することによって得るようにしてもよい。台車４４の通算走行距離は、移動機構５０を新品に交換した時点あるいは修理を行った時点で０にリセットされる。台車４４の加減速の回数は、速度センサ７４からの出力信号を微分した結果（絶対値）が所定のしきい値（絶対値）を超えた場合に計数値を更新することで得るようにしてもよい。台車４４の加減速の回数は、移動機構５０を新品に交換した時点あるいは修理を行った時点で０にリセットされる。台車４４の接触回数（衝突回数）は、接触センサ７８からの出力をカウンタにて計数することによって得られる。台車４４の接触回数は、移動機構５０を新品に交換した時点あるいは修理を行った時点で０にリセットされる。上述した０へのリセットは、技師が入力装置を介して行うようにしてもよいし、メンテナンス時にカウンタを０リセットすることで行うことができる。読取機の種類は、技師が入力装置を介して読取機の種類を入力してもよいし、移動型放射線撮影装置２２のロット情報から得るようにしてもよい。移動型放射線撮影装置２２のロット情報は、コンソール制御装置８０のメモリに記録されたＯＳ（オペレーションシステム）のうち、システムエリアに記録されたロット情報を読み出すことで得るようにしてもよい。
【０１００】
保守履歴としては、移動型放射線撮影装置２２を構成する各種部品毎に、新品に交換した時期、修理を行った時期、修理した回数の情報が挙げられる。これらの情報は技師が入力装置を介して入力することで記録することができる。
【０１０１】
そして、撮影計画は、移動型放射線撮影装置２２の移動ルートと撮影の順番（撮影メニューの配列）等があり、保守計画は、移動型放射線撮影装置２２を構成する各種部品について、それぞれ点検すべき時期、部品交換すべき時期等の情報が挙げられる。
【０１０２】
従って、計画情報作成部２５４は、例えば、移動型放射線撮影装置２２の起動後、サーバ３８から送られてくるオーダリング情報を受け取り、撮影要求のあった１以上の撮影メニューとバッテリ５８の容量（満充電のときの容量：既定値）から最適な移動ルートと撮影メニューの順番に関する情報を作成し、撮影計画として計画情報メモリ２５２に保存する。
【０１０３】
また、計画情報作成部２５４は、サーバ３８に対し、該サーバ３８に記憶されている保守計画（前回の使用時において更新された保守計画）の送信を要求する。なお、初期段階では、例えば技師が入力装置を使って部品の点検時期や交換時期を入力して保守計画を作成し、サーバ３８に記憶させるようにしている。
【０１０４】
一方、外部の中央管理部１４は、図１２に示すように、移動型放射線撮影装置２２毎に設定された複数のデータベースＤＢと、移動型放射線撮影装置２２から分析要求指示と共に送られてくるＩＤ情報、オーダリング情報、履歴情報等を受け取る情報受取部２７０と、受け取った情報並びにデータベースＤＢの情報に基づいて、再撮影に関する分析を行う第１分析部２７２Ａと、受け取った情報並びにデータベースＤＢの情報に基づいて、撮影メニューの追加に関する分析を行う第２分析部２７２Ｂと、受け取った情報並びにデータベースＤＢの情報に基づいて、１回の曝射に対する消費電力量の比率に関する分析を行う第３分析部２７２Ｃと、受け取った情報並びにデータベースＤＢの情報に基づいて、単位走行距離（例えば１ｍ）に対する消費電力量の比率に関する分析を行う第４分析部２７２Ｄと、受け取った情報並びにデータベースＤＢの情報に基づいて、満充電のときのバッテリ容量に関する分析を行う第５分析部２７２Ｅと、第１分析部２７２Ａ〜第５分析部２７２Ｅからの各分析結果を、要求のあった移動型放射線撮影装置２２に送信する第１分析結果送信部２７４と、受け取った履歴情報に基づいてバッテリ５８の劣化に関する分析を行う第６分析部２７２Ｆと、受け取った履歴情報に基づいて放射線源６４のターゲットの劣化に関する分析を行う第７分析部２７２Ｇと、受け取った履歴情報に基づいて放射線源６４のフィルタの劣化に関する分析を行う第８分析部２７２Ｈと、受け取った履歴情報に基づいて放射線源６４のフィラメントの劣化に関する分析を行う第９分析部２７２Ｉと、受け取った履歴情報に基づいて電灯７１の劣化に関する分析を行う第１０分析部２７２Ｊと、受け取った履歴情報に基づいて電子カセッテ６８の劣化に関する分析を行う第１１分析部２７２Ｋと、受け取った履歴情報に基づいて画像読取装置１７０の劣化に関する分析を行う第１２分析部２７２Ｌと、受け取った履歴情報に基づいて移動機構５０の劣化に関する分析を行う第１３分析部２７２Ｍと、第６分析部２７２Ｆ〜第１３分析部２７２Ｍからの各分析結果を、要求のあった移動型放射線撮影装置２２に送信する第２分析結果送信部２７６と、要求のあった移動型放射線撮影装置２２と関連する移動型放射線撮影装置２２（同一の医療機関１２に設置された移動型放射線撮影装置２２）に関する履歴情報を該当するデータベースＤＢから読み出す関連情報読出部２７８と、同一の医療機関１２に設置された２台以上の移動型放射線撮影装置２２のうち、いずれの移動型放射線撮影装置２２を使用すればよいかの分析を行う第１４分析部２７２Ｎと、第１４分析部２７２Ｎからの分析結果を要求のあった移動型放射線撮影装置２２に送信する第３分析結果送信部２８０とを有する。
【０１０５】
移動型放射線撮影装置２２毎に設定されたデータベースＤＢは、それぞれ対応する移動型放射線撮影装置２２のＩＤ情報、当該移動型放射線撮影装置２２が設置された医療機関１２のＩＤ情報、当該移動型放射線撮影装置２２と関連する移動型放射線撮影装置２２（同一の医療機関１２に設置された別の移動型放射線撮影装置２２）のＩＤ情報、当該移動型放射線撮影装置２２のオーダリング情報の時系列ファイル（要求日付順）、使用履歴の時系列ファイル（要求日付順）、分析結果の時系列ファイル（要求日付順）等が格納されている。そして、当該移動型放射線撮影装置２２に関して分析要求があるたびに、当該移動型放射線撮影装置２２から送信されたオーダリング情報、使用履歴が該当する時系列ファイルに新たに登録されると共に、後述する分析による結果が該当する時系列ファイルに新たに登録されて、その推移が明確になるように配列されている。また、関連する移動型放射線撮影装置２２に関するデータベースＤＢには、移動型放射線撮影装置２２の選択分析（第１４分析部２７２Ｎ）にて使用される曝射回数、移動距離、充電回数の各しきい値（消耗度と定義する）が登録されている。上述のデータ構造は、他のデータベースＤＢについても同様である。
【０１０６】
第１分析部２７２Ａ〜第５分析部２７２Ｅでの分析処理は、基本的には以下のような方法で行われる。
【０１０７】
（１）第１分析部２７２Ａ（再撮影に関する分析）
（ａ）技師情報：再撮影の頻度に応じて再撮影の比率（再撮影の頻度が０の場合を１とする）を設定する。頻度が多いほど比率が高くなるように設定する。この比率をＡａとする。
【０１０８】
（ｂ）技師情報：経験年数に応じて再撮影の比率（経験年数１０年の場合を１とする）を設定する。経験年数が短いほど比率が高くなるように設定する。この比率をＡｂとする。
【０１０９】
（ｃ）被検者情報：被検者６６の年齢に応じて再撮影の比率（年齢が２０歳の場合を１とする）を設定する。被検者の年齢が低いほど比率が高くなるように設定する。この比率をＡｃとする。
【０１１０】
（ｄ）被検者情報：被検者６６の再撮影情報（再撮影の頻度）に応じて再撮影の比率（再撮影の頻度が０の場合を１とする）を設定する。頻度が多いほど比率が高くなるように設定する。この比率をＡｄとする。
【０１１１】
被検者６６毎に、上述の比率Ａａ、Ａｂ、Ａｃ、Ａｄを取得し、これら比率を乗算して、被検者６６毎の総合的な再撮影の比率を求める。そして、各被検者６６について、再撮影の回数を統計的に分析する。上述の比率Ａａ、Ａｂ、Ａｃ、Ａｄの算出や統計的な分析は、複数のデータベースＤＢのうち、使用形態が類似する移動型放射線撮影装置２２のデータベースＤＢからデータマイニングに基づいて行ってもよい。以下、同様である。この分析結果のデータ形態としては、再撮影が予想される被検者６６のＩＤ番号とその再撮影回数とが組になって配列されたデータ列に、再撮影に関する分析結果を示すコード名が付加されたデータ形態が考えられる。
【０１１２】
（２）第２分析部２７２Ｂ（撮影メニューの追加に関する分析）
（ｅ）被検者情報：病歴の数に応じて撮影メニュー追加の比率（病歴の数が１の場合を１とする）を設定する。病歴の数が多いほど比率が高くなるように設定する。この比率をＡｅとする。
【０１１３】
そして、各被検者６６について、撮影メニューの追加数を統計的に分析する。この分析結果のデータ形態としては、撮影メニューの追加が予想される被検者６６のＩＤ番号とその撮影メニューの追加数とが組になって配列されたデータ列に、撮影メニューの追加数に関する分析結果を示すコード名が付加されたデータ形態が考えられる。
【０１１４】
（３）第３分析部２７２Ｃ（１回の曝射に対する消費電力量の比率に関する分析）
（ｆ）被検者情報：被検者６６の体格（体重）に応じて管電圧及びｍＡｓ値を設定することから、体重に応じて１回の曝射に対する消費電力量の比率（標準的な体重の場合を１とする）を設定する。体重が大きいほど比率が高くなるように設定する。この比率をＡｆとする。
【０１１５】
（ｇ）被検者情報：体脂肪率に応じて管電圧及びｍＡｓ値を設定することから、体脂肪率に応じて１回の曝射に対する消費電力量の比率（標準的な体脂肪の場合を１とする）を設定する。体脂肪率が高いほど比率が高くなるように設定する。この比率をＡｇとする。
【０１１６】
なお、上述の比率Ａｆ及びＡｇに関しては、性別で画一的に管電圧及びｍＡｓ値を設定しておき、その後、体格や体脂肪率によって微調整するようにしてもよい。
【０１１７】
（ｈ）使用履歴：バッテリ５８の使用回数（充電回数）に応じて１回の曝射に対する消費電力量の比率（新品のバッテリ５８の比率を１とする）を設定する。使用回数が多いほど比率が高くなるように設定する。この比率をＡｈとする。
【０１１８】
（ｉ）使用履歴：放射線源６４の使用回数（曝射数）に応じて１回の曝射に対する消費電力量の比率（新品の線源の比率を１とする）を設定する。使用回数が多いほど比率が高くなるように設定する。この比率をＡｉとする。
【０１１９】
（ｊ）使用履歴：電灯７１の使用回数に応じて１回の曝射に対する消費電力量の比率（新品の電灯の比率を１とする）を設定する。使用回数が多いほど比率が高くなるように設定する。この比率をＡｊとする。
【０１２０】
（ｋ）使用履歴：読取機の種類によって１回の曝射に対する消費電力量の比率を設定する。この比率をＡｋとする。例えば画像読取装置１７０を使用する型式であれば、比率Ａｋを１に設定し、電子カセッテ６８を用いる型式であれば、比率Ａｋを例えば０．５に設定する。
【０１２１】
そして、被検者６６毎に、上述の比率Ａｆ、Ａｇ、Ａｈ、Ａｉ、Ａｊ、Ａｋを取得し、これら比率を乗算して、被検者６６毎の１回の曝射に対する消費電力量の総合的な比率を求める。この分析結果のデータ形態としては、被検者６６のＩＤ番号と対応する１回の曝射に対する消費電力量の総合的な比率とが組になって配列されたデータ列に、１回の曝射に対する消費電力量の比率に関する分析結果を示すコード名が付加されたデータ形態が考えられる。
【０１２２】
（４）第４分析部２７２Ｄ（単位走行距離に対する消費電力量の比率に関する分析）
（ｌ）使用履歴：バッテリ５８の使用回数（充電回数）に応じて単位走行距離に対する消費電力量の比率（新品のバッテリの比率を１とする）を設定する。使用回数が多いほど比率が高くなるように設定する。この比率をＡｌとする。
【０１２３】
（ｍ）使用履歴：台車４４の通算走行距離に応じて単位走行距離に対する消費電力量の比率（通算走行距離が０の場合を１とする）を設定する。通算走行距離が長いほど比率が高くなるように設定する。この比率をＡｍとする。
【０１２４】
（ｎ）使用履歴：台車４４の加減速（急発進、急停止）の回数に応じて単位走行距離に対する消費電力量の比率を設定する。回数が多いほど比率が高くなるように設定する。この比率をＡｎとする。
【０１２５】
（ｏ）使用履歴：台車４４の接触回数（衝突回数）に応じて単位走行距離に対する消費電力量の比率を設定する。回数が多いほど比率が高くなるように設定する。この比率をＡｏとする。
【０１２６】
そして、上述の比率Ａｌ、Ａｍ、Ａｎ、Ａｏを取得し、これら比率を乗算して、単位走行距離に対する消費電力量の総合的な比率を求める。この分析結果のデータ形態としては、単位走行距離に対する消費電力量の分析結果を示すコード名と、単位走行距離に対する消費電力量の総合的な比率とが配列されたデータ形態が考えられる。
【０１２７】
（５）第５分析部２７２Ｅ（満充電のときのバッテリ容量の比率に関する分析）
（ｐ）使用履歴：バッテリ５８の使用回数（充電回数）に応じて満充電のときのバッテリ容量の比率（新品のバッテリ５８の比率を１とする）を設定する。使用回数が多いほど比率が低くなるように設定する。この比率をＡｐとする。この満充電のときのバッテリ容量の比率の算出は、バッテリ５８の種類に応じて行ってもよいし、複数のデータベースＤＢのうち、同種のバッテリ５８を搭載した移動型放射線撮影装置２２のデータベースＤＢからデータマイニングに基づいて行ってもよい。バッテリ５８の種類は、移動型放射線撮影装置２２のロット情報から容易に識別することができる。この分析結果のデータ形態としては、満充電のときのバッテリ容量の分析結果を示すコード名と、満充電のときのバッテリ容量の比率とが配列されたデータ形態が考えられる。
【０１２８】
第１分析結果送信部２７４は、分析結果を要求のあった移動型放射線撮影装置２２に送信するための第１送信ファイルを作成する。第１送信ファイルは、例えば第１分析部２７２Ａ〜第５分析部２７２Ｅからの各分析結果を順番に配列したデータ列と、その先頭に、要求のあった移動型放射線撮影装置２２のＩＤ番号を付したデータ構造を有する。そして、第１分析結果送信部２７４は、作成した第１送信ファイルを、要求のあった移動型放射線撮影装置２２に向けて送信する。
【０１２９】
次に、第６分析部２７２Ｆ〜第１３分析部２７２Ｍでの分析処理は、基本的には以下のような方法で行われる。
【０１３０】
（６）第６分析部２７２Ｆ（バッテリ５８の劣化に関する分析）
使用履歴におけるバッテリ５８の使用回数（充電回数）に基づいてバッテリ５８の劣化度を求める。この劣化度は、例えば新品のバッテリ５８の劣化度を初期劣化度Ｒａ０（＝０）とし、修理による劣化度を求めるための係数（修理係数）をＫａｒ、修理回数をＮａｒ、新品に交換しなければならない劣化度を限界劣化度Ｒａｍ、新品に交換するまでの平均的な使用回数を許容使用回数Ｎａｍ、現在の使用回数をＮａとしたとき、以下の演算式にて求めることができる。
バッテリの現在の劣化度
＝Ｒａ０＋Ｋａｒ×Ｎａｒ＋｛（Ｒａｍ／Ｎａｍ）×Ｎａ｝
【０１３１】
得られた劣化度に基づいて、分析要求指示のあった移動型放射線撮影装置のバッテリの次の点検時期や、新品への交換時期を分析する。これは、過去の劣化度の推移等から統計的に求めることができる。この分析結果のデータ形態としては、バッテリの保守に関する分析結果を示すコード名と、点検時期及び新品への交換時期とが配列されたデータ形態が考えられる。なお、上述した第３分析部２７２Ｃでの比率Ａｈ及び第４分析部２７２Ｄでの比率Ａｌを、このバッテリ５８の現在の劣化度に基づいて設定してもよい。
【０１３２】
（７）第７分析部２７２Ｇ（放射線源６４のターゲットの劣化に関する分析）
使用履歴におけるターゲットの使用回数（新品からの曝射数）に基づいて線源のターゲットの劣化度を求める。この劣化度は、例えば新品のターゲットの劣化度を初期劣化度Ｒｂ０（＝０）とし、修理係数をＫｂｒ、修理回数をＮｂｒ、限界劣化度をＲｂｍ、許容使用回数をＮｂｍ、現在の使用回数をＮｂとしたとき、以下の演算式にて求めることができる。
ターゲットの現在の劣化度
＝Ｒｂ０＋Ｋｂｒ×Ｎｂｒ＋｛（Ｒｂｍ／Ｎｂｍ）×Ｎｂ｝
【０１３３】
得られた劣化度に基づいて、分析要求指示のあった移動型放射線撮影装置２２のターゲットの次の点検時期や、新品への交換時期を分析する。この分析結果のデータ形態としては、ターゲットの保守に関する分析結果を示すコード名と、点検時期及び新品への交換時期とが配列されたデータ形態が考えられる。
【０１３４】
（８）第８分析部２７２Ｈ（放射線源６４のフィルタの劣化に関する分析）
使用履歴におけるフィルタの使用回数（新品からの曝射数）に基づいて放射線源６４のフィルタの劣化度を求める。この劣化度は、例えば新品のフィルタの劣化度を初期劣化度Ｒｃ０（＝０）とし、修理係数をＫｃｒ、修理回数をＮｃｒ、限界劣化度をＲｃｍ、許容使用回数をＮｃｍ、現在の使用回数をＮｃとしたとき、以下の演算式にて求めることができる。
フィルタの現在の劣化度
＝Ｒｃ０＋Ｋｃｒ×Ｎｃｒ＋｛（Ｒｃｍ／Ｎｃｍ）×Ｎｃ｝
【０１３５】
得られた劣化度に基づいて、分析要求指示のあった移動型放射線撮影装置２２のフィルタの次の点検時期や、新品への交換時期を分析する。この分析結果のデータ形態としては、フィルタの保守に関する分析結果を示すコード名と、点検時期及び新品への交換時期とが配列されたデータ形態が考えられる。
【０１３６】
（９）第９分析部２７２Ｉ（フィラメントの劣化に関する分析）
使用履歴におけるフィラメントの使用回数（新品からの曝射数）に基づいて線源のフィラメントの劣化度を求める。この劣化度は、例えば新品のフィラメントの劣化度を初期劣化度Ｒｄ０（＝０）とし、修理係数をＫｄｒ、修理回数をＮｄｒ、限界劣化度をＲｄｍ、許容使用回数をＮｄｍ、現在の使用回数をＮｄとしたとき、以下の演算式にて求めることができる。
フィラメントの現在の劣化度
＝Ｒｄ０＋Ｋｄｒ×Ｎｄｒ＋｛（Ｒｄｍ／Ｎｄｍ）×Ｎｄ｝
【０１３７】
得られた劣化度に基づいて、分析要求指示のあった移動型放射線撮影装置２２のフィラメントの次の点検時期や、新品への交換時期を分析する。この分析結果のデータ形態としては、フィラメントの保守に関する分析結果を示すコード名と、点検時期及び新品への交換時期とが配列されたデータ形態が考えられる。
【０１３８】
（１０）第１０分析部２７２Ｊ（電灯７１の劣化に関する分析）
使用履歴における電灯７１の使用回数に基づいて電灯の劣化度を求める。この劣化度は、例えば新品の電灯の劣化度を初期劣化度Ｒｅ０（＝０）とし、修理係数をＫｅｒ、修理回数をＮｅｒ、限界劣化度をＲｅｍ、許容使用回数をＮｅｍ、現在の使用回数をＮｅとしたとき、以下の演算式にて求めることができる。
電灯の現在の劣化度
＝Ｒｅ０＋Ｋｅｒ×Ｎｅｒ＋｛（Ｒｅｍ／Ｎｅｍ）×Ｎｅ｝
【０１３９】
得られた劣化度に基づいて、分析要求指示のあった移動型放射線撮影装置２２の電灯７１の次の点検時期や、新品への交換時期を分析する。これは、過去の劣化度の推移等から統計的に求めることができる。この分析結果のデータ形態としては、電灯７１の保守に関する分析結果を示すコード名と、点検時期及び新品への交換時期とが配列されたデータ形態が考えられる。なお、上述した第３分析部２７２Ｃでの比率Ａｊを、この電灯７１の現在の劣化度に基づいて設定してもよい。
【０１４０】
（１１）第１１分析部２７２Ｋ（電子カセッテ６８の劣化に関する分析）
第１移動型放射線撮影装置２２Ａにおいては、使用履歴の曝射数に基づいて電子カセッテ６８の劣化度を求める。この劣化度は、例えば新品の電子カセッテ６８の劣化度を初期劣化度Ｒｆ０（＝０）とし、修理係数をＫｆｒ、修理回数をＮｆｒ、限界劣化度をＲｆｍ、許容使用回数をＮｆｍ、現在の使用回数をＮｆとしたとき、以下の演算式にて求めることができる。
カセッテの現在の劣化度
＝Ｒｆ０＋Ｋｆｒ×Ｎｆｒ＋｛（Ｒｆｍ／Ｎｆｍ）×Ｎｆ｝
【０１４１】
得られた劣化度に基づいて、分析要求指示のあった第１移動型放射線撮影装置２２Ａの電子カセッテ６８の次の点検時期や、新品への交換時期を分析する。この分析結果のデータ形態としては、電子カセッテ６８の保守に関する分析結果を示すコード名と、点検時期及び新品への交換時期とが配列されたデータ形態が考えられる。
【０１４２】
（１２）第１２分析部２７２Ｌ（画像読取装置１７０の劣化に関する分析）
第２移動型放射線撮影装置２２Ｂにおいては、使用履歴の曝射数に基づいて画像読取装置１７０の劣化度を求める。この劣化度は、例えば新品の画像読取装置１７０の劣化度を初期劣化度Ｒｇ０（＝０）とし、修理係数をＫｇｒ、修理回数をＮｇｒ、限界劣化度をＲｇｍ、許容使用回数をＮｇｍ、現在の使用回数をＮｇとしたとき、以下の演算式にて求めることができる。
画像読取装置の現在の劣化度
＝Ｒｇ０＋Ｋｇｒ×Ｎｇｒ＋｛（Ｒｇｍ／Ｎｇｍ）×Ｎｇ｝
【０１４３】
得られた劣化度に基づいて、分析要求指示のあった第２移動型放射線撮影装置２２Ｂの画像読取装置１７０の次の点検時期や、新品への交換時期を分析する。この分析結果のデータ形態としては、画像読取装置１７０の保守に関する分析結果を示すコード名と、点検時期及び新品への交換時期とが配列されたデータ形態が考えられる。
【０１４４】
（１３）第１３分析部２７２Ｍ（移動機構５０の劣化に関する分析）
使用履歴における台車４４の通算走行距離、台車４４の加減速の回数、台車４４の接触回数（衝突回数）に基づいて移動機構５０の劣化度を求める。この劣化度は、例えば新品の移動機構５０の劣化度を初期劣化度Ｒｈ０（＝０）とし、修理係数をＫｈｒ、修理回数をＮｈｒ、台車４４の通算走行距離による劣化度を求めるための係数（走行係数）をＫｈ１、通算走行距離をＮｈ１、台車４４の加減速の回数による劣化度を求めるための係数（加減速係数）をＫｈ２、加減速の回数をＮｈ２、台車４４の接触回数による劣化度を求めるための係数（接触係数）をＫｈ３、接触回数をＮｈ３としたとき、以下の演算式にて求めることができる。
移動機構５０の現在の劣化度
＝Ｒｈ０＋Ｋｈｒ×Ｎｈｒ＋Ｋｈ１×Ｎｈ１＋Ｋｈ２×Ｎｈ２
＋Ｋｈ３×Ｎｈ３
【０１４５】
得られた劣化度に基づいて、分析要求指示のあった移動型放射線撮影装置２２の移動機構５０の次の点検時期や、新品への交換時期を分析する。この分析結果のデータ形態としては、移動機構５０の保守に関する分析結果を示すコード名と、点検時期及び新品への交換時期とが配列されたデータ形態が考えられる。なお、上述した第４分析部２７２Ｄでの比率Ａｍ、Ａｎ及びＡｏを、この移動機構５０の現在の劣化度に基づいて一括して設定してもよい。
【０１４６】
上述の（６）〜（１３）における各種劣化度、係数の算出、点検時期、新品への交換時期は、複数のデータベースＤＢのうち、使用形態が類似する移動型放射線撮影装置２２のデータベースＤＢからデータマイニングに基づいて行ってもよい。
【０１４７】
第２分析結果送信部２７６は、分析結果を要求のあった移動型放射線撮影装置２２に送信するための第２送信ファイルを作成する。第２送信ファイルは、例えば第６分析部２７２Ｆ〜第１３分析部２７２Ｍからの各分析結果を順番に配列したデータ列と、その先頭に、要求のあった移動型放射線撮影装置２２のＩＤ番号を付したデータ構造を有する。そして、第２分析結果送信部２７６は、作成した第２送信ファイルを、要求のあった移動型放射線撮影装置２２に向けて送信する。
【０１４８】
次に、第１４分析部２７２Ｎでの分析処理は、基本的には以下のような方法で行われる。
【０１４９】
（１４）第１４分析部２７２Ｎ（使用すべき移動型放射線撮影装置２２の選択に関する分析）
第１４分析部２７２Ｎでの処理を説明する前に、関連情報読出部２７８での処理を説明すると、該関連情報読出部２７８は、要求のあった移動型放射線撮影装置２２のＩＤ情報に対応するデータベースＤＢから当該移動型放射線撮影装置２２と関連する移動型放射線撮影装置２２（同一の医療機関１２に設置された別の移動型放射線撮影装置２２）のＩＤ情報を読み出す。
【０１５０】
読み出したＩＤ情報が無効データ（関連する移動型放射線撮影装置２２は存在しない）であれば、第１４分析部２７２Ｎでの分析処理は行わない。
【０１５１】
読み出したＩＤ情報が有効であれば、第１４分析部２７２Ｎでの分析処理が行なわれる。第１４分析部２７２Ｎでは、当該移動型放射線撮影装置２２の使用履歴と、関連する移動型放射線撮影装置２２の使用履歴を参照しながら、これら移動型放射線撮影装置２２の曝射回数、移動距離及び充電回数の少なくとも１つが対応する消耗度を超えていなければ、これら移動型放射線撮影装置２２が平均的に使用されるように、今回使用されるべき移動型放射線撮影装置２２を選択する。これら移動型放射線撮影装置２２の曝射回数、移動距離及び充電回数がいずれも対応する消耗度を超えていれば、これら移動型放射線撮影装置２２のうち、例えば充電回数が一番少ない移動型放射線撮影装置２２以外の移動型放射線撮影装置２２を今回使用されるべき移動型放射線撮影装置２２として選択する。今回選択されなかった移動型放射線撮影装置２２は、緊急用に使用されることになる。
【０１５２】
第３分析結果送信部２８０は、分析結果を要求のあった移動型放射線撮影装置２２に送信するための第３送信ファイルを作成する。第３送信ファイルは、第１４分析部２７２Ｎからの分析結果（使用すべき移動型放射線撮影装置２２のＩＤ情報）に、移動型放射線撮影装置２２の選択に関する分析結果を示すコード名を付したデータ構造を有する。関連する移動型放射線撮影装置が存在しなければ、その旨を示すコード名が付される。もちろん、移動型放射線撮影装置２２の曝射回数、移動距離及び充電回数がいずれも対応する消耗度を超えた分析結果であれば、使用しない緊急用の移動型放射線撮影装置２２のＩＤ情報と、該緊急用の移動型放射線撮影装置２２を重点的にチェックするための定期メンテナンス時のチェックメニューも付加したデータ構造にすることが好ましい。さらに、複数の移動型放射線撮影装置のうち、劣化（消耗）が最も少ない移動型放射線撮影装置のＩＤ情報と、劣化（消耗）が最も多い移動型放射線撮影装置のＩＤ情報を付加することが好ましい。そして、第３分析結果送信部２８０は、作成した第３送信ファイルを、要求のあった移動型放射線撮影装置２２並びに管理室３２のサーバ３８に向けて送信する。
【０１５３】
中央管理部１４の第１分析結果送信部２７４、第２分析結果送信部２７６及び第３分析結果送信部２８０から送信された情報は、移動型放射線撮影装置２２の分析結果受取部２５８にて受け取られ、そのうち、第１分析結果送信部２７４からの情報（第１分析部２７２Ａ〜第５分析部２７２Ｅからの各分析結果）が第１フィードバック部２６０又は第２フィードバック部２６２に送られ、第２分析結果送信部２７６からの情報（第６分析部２７２Ｆ〜第１３分析部２７２Ｍからの各分析結果）が第３フィードバック部２６４に送られ、第３分析結果送信部２８０からの情報（第１４分析部２７２Ｎからの分析結果）がガイダンス部２６８に送られる。
【０１５４】
第１フィードバック部２６０は、移動型放射線撮影装置２２の機動時に、既に作成されている撮影計画に対して、第１分析部２７２Ａ〜第５分析部２７２Ｅからの各分析結果を反映させる。第２フィードバック部２６２は、移動型放射線撮影装置２２の機動後のイベント時に、進行中の撮影計画に対して、第１分析部２７２Ａ〜第５分析部２７２Ｅからの各分析結果を反映させる。第３フィードバック部２６４は、移動型放射線撮影装置２２の終了時に、既に作成されている保守計画に対して、第６分析部２７２Ｆ〜第１３分析部２７２Ｍからの各分析結果を反映させる。これら第１フィードバック部２６０、第２フィードバック部２６２及び第３フィードバック部２６４での処理は後述する。
【０１５５】
一方、ガイダンス部２６８は、第１４分析部２７２Ｎからの分析結果をコンソール５２のディスプレイ６２に表示する。起動した移動型放射線撮影装置２２が選択されていなければ、緊急用に使用すべき移動型放射線撮影装置２２として指定されたこととなるため、技師は、当該移動型放射線撮影装置２２での使用を取りやめて、選択された他の移動型放射線撮影装置２２を起動する。
【０１５６】
もちろん、サーバ３８に接続された中央コンピュータに、上述したように、使用予定の移動型放射線撮影装置２２のＩＤ情報を中央管理部１４に送信するＩＤ送信部と共にガイダンス部２６８を設置していれば、中央コンピュータに第１４分析部２７２Ｎからの分析結果が送信されてくるため、中央コンピュータのディスプレイにその分析結果を表示させて、選択された移動型放射線撮影装置２２を確認し、該選択された移動型放射線撮影装置２２を起動することで、無駄な起動操作を防止することが可能となる。
【０１５７】
本実施の形態に係る放射線撮影管理システム１０は、基本的には以上のように構成されるものであり、次にその動作について説明する。
【０１５８】
先ず、図１３のステップＳ１において、病棟の複数の被検者６６のうち、移動型放射線撮影装置２２を使用して放射線撮影すべき被検者６６が医師によって選定され、選定された各被検者６６にそれぞれ対応した撮影メニュー（撮影部位、枚数等）を含むオーダリング情報が作成されて、管理室３２のサーバ３８に保存される。
【０１５９】
同一の医療機関に、複数の移動型放射線撮影装置２２が設置されていれば、ステップＳ２以降において、使用すべき移動型放射線撮影装置２２の選択処理が行われる。
【０１６０】
すなわち、ステップＳ２において、技師が移動型放射線撮影装置２２を起動すると、情報送信部２５６は、ＩＤ情報を分析要求指示（使用すべき移動型放射線撮影装置２２の選択に関する分析要求）と共に外部の中央管理部１４に送信する。
【０１６１】
ステップＳ３において、中央管理部１４での処理が行われる。すなわち、中央管理部１４の情報受取部２７０は、移動型放射線撮影装置２２から分析要求指示と共に送られてくるＩＤ情報を受け取る。
【０１６２】
ステップＳ４において、関連情報読出部２７８は、要求のあった移動型放射線撮影装置２２のＩＤ情報に対応するデータベースＤＢから当該移動型放射線撮影装置２２と関連する移動型放射線撮影装置２２（同一の医療機関１２に設置された別の移動型放射線撮影装置２２）のＩＤ情報を読み出す。
【０１６３】
ステップＳ５において、関連情報読出部２７８は、当該移動型放射線撮影装置２２に関連する移動型放射線撮影装置２２が存在するか否かを判別する。読み出したＩＤ情報が無効データ（関連する移動型放射線撮影装置２２は存在しない）であれば、第１４分析部２７２Ｎでの分析処理は行わず、ステップＳ７に進み、第３分析結果送信部２８０は、関連する移動型放射線撮影装置２２が存在しないことを示すコード名が付された第３送信ファイルを作成し、要求のあった移動型放射線撮影装置２２に送信する。
【０１６４】
一方、ステップＳ５において、読み出したＩＤ情報が有効であると判別された場合、ステップＳ６に進み、第１４分析部２７２Ｎでの分析処理が行われる。すなわち、第１４分析部２７２Ｎは、データベースＤＢに登録された当該移動型放射線撮影装置２２の使用履歴と、関連する移動型放射線撮影装置２２の使用履歴を参照しながら、これら移動型放射線撮影装置２２の曝射回数、移動距離及び充電回数とそれぞれ対応する消耗度とを比較する。
【０１６５】
曝射回数、移動距離及び充電回数のいずれか１つが、対応する消耗度を超えていなければ、これら移動型放射線撮影装置２２が平均的に使用されるように、今回使用されるべき移動型放射線撮影装置２２を選択する。
【０１６６】
曝射回数、移動距離及び充電回数のいずれもが、対応する消耗度を超えていれば、これら移動型放射線撮影装置２２のうち、例えば充電回数が一番少ない移動型放射線撮影装置２２以外の移動型放射線撮影装置２２を今回使用されるべき移動型放射線撮影装置２２として選択する。
【０１６７】
ステップＳ７において、第３分析結果送信部２８０は、第１４分析部２７２Ｎからの分析結果（使用すべき移動型放射線撮影装置２２のＩＤ情報）を含む第３送信ファイルを、要求のあった移動型放射線撮影装置２２並びに管理室３２のサーバ３８に向けて送信する。このとき、第３送信ファイルには、使用しない緊急用の移動型放射線撮影装置２２のＩＤ情報と、該緊急用の移動型放射線撮影装置２２を重点的にチェックするための定期メンテナンス時のチェックメニューも付加したデータ構造にすることが好ましい。また、いずれの場合においても、第３送信ファイルに、複数の移動型放射線撮影装置のうち、劣化が最も少ない移動型放射線撮影装置のＩＤ情報と、劣化が最も多い移動型放射線撮影装置のＩＤ情報を付加する。
【０１６８】
ステップＳ８以降において、移動型放射線撮影装置２２のコンソール制御装置８０での処理が行われる。すなわち、ステップＳ８において、分析結果受取部２５８は、中央管理部１４での分析結果（第３送信ファイル）を受け取る。
【０１６９】
ステップＳ９において、ガイダンス部２６８は、第３送信ファイルに含まれる情報をコンソール５２のディスプレイ６２に表示する。上述したように、起動した移動型放射線撮影装置２２が選択されていなければ、緊急用に使用すべき移動型放射線撮影装置２２として指定されたこととなるため、技師は、当該移動型放射線撮影装置２２での使用を取りやめて、選択された他の移動型放射線撮影装置２２を起動する。
【０１７０】
第３送信ファイルには、複数の移動型放射線撮影装置のうち、劣化が最も少ない移動型放射線撮影装置のＩＤ情報と、劣化が最も多い移動型放射線撮影装置のＩＤ情報が付加されているため、以下のような保守を行わせることができる。すなわち、劣化が最も少ない移動型放射線撮影装置については、メンテナンスの際に、使われていない理由を明確にするように念入りに点検し、劣化が最も多い移動型放射線撮影装置については、メンテナンスの際に、劣化を主眼に念入りに点検すること等である。
【０１７１】
また、第３送信ファイルに、使用しない緊急用の移動型放射線撮影装置２２のＩＤ情報が含まれている場合には、付加されている定期メンテナンス時のチェックメニューを読み出して、緊急用の移動型放射線撮影装置２２の保守点検の際に、チェックメニューに基づいて行うことができ、いざというときに使えるように、メンテナンスを行わせることが可能となる。
【０１７２】
次に、起動した移動型放射線撮影装置２２を使用して、放射線撮影を行いながら最適な撮影計画を作成し直していく処理、及び保守計画を更新する処理について図１４〜図１９を参照しながら説明する。
【０１７３】
先ず、図１４のステップＳ１０１において、移動型放射線撮影装置２２におけるコンソール制御装置８０の計画情報作成部２５４は、サーバ３８に対し、該サーバ３８に記憶されているオーダリング情報の送信を要求する。計画情報作成部２５４は、サーバ３８から送られてくるオーダリング情報を受け取り、撮影要求のあった１以上の撮影メニューとバッテリ５８の容量（満充電のときの容量：既定値）から最適な移動ルートと撮影メニューの順番に関する情報を作成し、撮影計画として計画情報メモリ２５２に保存する。
【０１７４】
ステップＳ１０２において、情報送信部２５６は、ＩＤ情報、撮影計画に含まれるオーダリング情報（撮影メニュー等）、履歴情報等を分析要求指示と共に外部の中央管理部に送信する。
【０１７５】
ステップＳ１０３以降において、中央管理部１４での処理が行われる。すなわち、ステップＳ１０３において、中央管理部１４の情報受取部２７０は、移動型放射線撮影装置２２から分析要求指示と共に送られてくるＩＤ情報、撮影計画に含まれるオーダリング情報（撮影メニュー等）、履歴情報等を受け取る。
【０１７６】
ステップＳ１０４において、第１分析部２７２Ａは、受け取った情報並びにデータベースＤＢの情報に基づいて、再撮影に関する分析を行う。ステップＳ１０５において、第２分析部２７２Ｂは、受け取った情報並びにデータベースＤＢの情報に基づいて、撮影メニューの追加に関する分析を行う。ステップＳ１０６において、第３分析部２７２Ｃは、受け取った情報並びにデータベースＤＢの情報に基づいて、１回の曝射に対する消費電力量の比率に関する分析を行う。ステップＳ１０７において、第４分析部２７２Ｄは、受け取った情報並びにデータベースＤＢの情報に基づいて、単位走行距離（例えば１ｍ）に対する消費電力量の比率に関する分析を行う。ステップＳ１０８において、第５分析部２７２Ｅは、受け取った情報並びにデータベースＤＢの情報に基づいて、満充電のときのバッテリ容量に関する分析を行う。
【０１７７】
ステップＳ１０９において、第１分析結果送信部２７４は、第１分析部２７２Ａ〜第５分析部２７２Ｅからの各分析結果を含む第１送信ファイルを作成し、要求のあった移動型放射線撮影装置２２に送信する。
【０１７８】
ステップＳ１１０以降において、移動型放射線撮影装置２２のコンソール制御装置８０での処理が行われる。すなわち、ステップＳ１１０において、分析結果受取部２５８は、中央管理部１４での分析結果（第１分析部２７２Ａ〜第５分析部２７２Ｅからの各分析結果を含む第１送信ファイル）を受け取る。
【０１７９】
ステップＳ１１１において、第１フィードバック部２６０は、受け取った第１送信ファイルに含まれる分析結果を撮影計画に反映させる。ここで、第１フィードバック部２６０での処理を図１６のフローチャートを参照しながら説明する。
【０１８０】
先ず、ステップＳ２０１において、例えば第１分析部２７２Ａでの分析結果にて指摘された再撮影が予想される被検者６６について、再撮影の回数分だけ曝射数を加算する。すなわち、撮影計画に登録されている曝射数に、再撮影の回数分の曝射数を加算する。
【０１８１】
その後、ステップＳ２０２において、第２分析部２７２Ｂでの分析結果にて指摘された撮影メニューの追加が予想される被検者６６について、撮影メニューの追加数だけ曝射数を加算する。
【０１８２】
そして、ステップＳ２０３において、第３分析部２７２Ｃでの分析結果（１回の曝射に対する消費電力量の比率）を各曝射について反映させて、撮影計画に含まれる全曝射での消費電力量を計算し直す。
【０１８３】
また、ステップＳ２０４において、第４分析部２７２Ｄでの分析結果（単位走行距離に対する消費電力量の比率）を、撮影計画に挙げられた移動ルートの走行距離に基づく消費電力量の計算に反映させて、台車４４の移動に伴う消費電力量を計算し直す。
【０１８４】
さらに、ステップＳ２０５において、移動型放射線撮影装置２２のバッテリ５８の満充電のときの容量（既定値）に第５分析部２７２Ｅの分析結果（満充電のときのバッテリ容量の比率）を乗算した値を、現在のバッテリ容量（予測値）とし、所定のレジスタに登録する。
【０１８５】
ステップＳ２０６において、現在のバッテリ容量の予測値と上述のように計算し直された全消費電力量とを比較する。現在のバッテリ容量の予測値と全消費電力量との関係が、現在のバッテリ容量の予測値≧全消費電力量であれば、既に作成された撮影計画を修正せずに、そのまま使用する。
【０１８６】
前記ステップＳ２０６において、現在のバッテリ容量の予測値＜全消費電力量であると判別された場合は、既に作成された撮影計画を修正する。この修正処理は、先ず、ステップＳ２０７において、現在のバッテリ容量の予測値と全消費電力量とに基づいて最適な移動ルート（撮影メニューの順番を含む）を解析する。ステップＳ２０８において、最適な移動ルートが見つかったか否かが判別され、見つかれば、ステップＳ２０９に進み、新たな移動ルートに基づく撮影計画を作成して、計画情報メモリ２５２に再登録する。
【０１８７】
前記ステップＳ２０８において、最適な移動ルートが見つからないと判別された場合は、ステップＳ２１０に進み、優先度の最も低い１つの撮影メニューを削除し、再度、最適な移動ルートを再設定して撮影計画を作成し直す。その後、図１４のステップＳ２以降の処理に戻り、優先度の最も低い１つの撮影メニューを削除した後のオーダリング情報等を中央管理部１４に送信して、再度分析を行う。
【０１８８】
上述のステップＳ２０６又はステップＳ２０９での処理が終了した段階で、撮影計画が決定されることとなり、次のステップＳ２１１に進んで、移動型放射線撮影装置２２は、決定した撮影計画を管理室３２のサーバ３８に送信し、サーバ３８に記録する。これによって、医師は、決定された撮影計画に基づいて、次の撮影メニューの作成、撮影メニューの再登録等を行うことになる。決定した撮影計画は、移動型放射線撮影装置２２のコンソール５２のディスプレイ６２に表示され、技師が一目で確認できるようになっている。
【０１８９】
図１４のルーチンに戻り、第１フィードバック部２６０での処理が終了した後、ステップＳ１１２に進み、第２フィードバック部２６２での処理が行われる。以下、場合分けをして第２フィードバック部２６２での処理を説明する。
【０１９０】
最初に、技師が移動型放射線撮影装置２２を１つの病室２４に移動させて１人の被検者６６に対する放射線撮影の準備を行っている段階（第１イベント発生時）での処理を図１７を参照しながら説明する。
【０１９１】
先ず、ステップＳ３０１において、容量更新予測部２６６は、上述した所定のレジスタに登録されている現在のバッテリ容量（予測値）から移動型放射線撮影装置２２が移動してきたルートの走行距離に相当する消費電力量を差し引いて、現在のバッテリ容量（予測値）を更新し、上述の所定のレジスタに登録し直す。
【０１９２】
ステップＳ３０２において、計画情報作成部２５４は、現時点の撮影計画に含まれる移動ルートのうち、移動型放射線撮影装置２２が移動してきたルートを削除して撮影計画を更新する。
【０１９３】
ステップＳ３０３において、情報送信部２５６は、ＩＤ情報、撮影計画に含まれるオーダリング情報（撮影メニュー等）、履歴情報等を分析要求指示と共に外部の中央管理部１４に送信する。このとき、第１イベント発生時の分析要求指示であることを示すコードも併せて送信するようにしてもよい。
【０１９４】
ステップＳ３０４において、中央管理部１４での処理が行われる。この処理は、上述したステップＳ１０４〜ステップＳ１０９（図１４参照）と同様であるため、その説明を省略する。この中央管理部１４での処理によって、第１分析部２７２Ａ〜第５分析部２７２Ｅからの各分析結果を含む第１送信ファイルが要求のあった移動型放射線撮影装置２２に送信される。なお、移動型放射線撮影装置２２から第１イベント発生時の分析要求指示であることを示すコードが送信されていれば、第１イベントにおいて必要な情報、例えば第１分析部２７２Ａ、第２分析部２７２Ｂ及び第４分析部２７２Ｄでの分析結果のみを第１送信ファイルに登録して、要求のあった移動型放射線撮影装置２２に送信するようにしてもよい。
【０１９５】
ステップＳ３０５において、移動型放射線撮影装置２２の分析結果受取部２５８は、中央管理部１４での分析結果（第１送信ファイル）を受け取る。
【０１９６】
ステップＳ３０６において、第２フィードバック部２６２は、受け取った第１送信ファイルに含まれる分析結果を撮影計画に反映させる。先ず、図１６のステップＳ２０１〜ステップＳ２０３に準じた処理を行って、撮影計画に含まれる全曝射での消費電力量を計算する。
【０１９７】
ステップＳ３０７において、第４分析部２７２Ｄでの分析結果（単位走行距離に対する消費電力量の比率）を、撮影計画（移動型放射線撮影装置２２が移動したルートは削除済み）に挙げられた移動ルートの走行距離に基づく消費電力量の計算に反映させて、台車４４の移動に伴う消費電力量を計算し直す。
【０１９８】
さらに、ステップＳ３０８において、以後の最適な移動ルートを探索し直す。ここでの処理は、上述した図１６のステップＳ２０６以降の処理と同様であるため、その説明を省略する。
【０１９９】
ステップＳ３０８での処理が終了した段階で、撮影計画の更新が決定されることとなり、次のステップＳ３０９に進んで、移動型放射線撮影装置２２は、更新された撮影計画を管理室３２のサーバ３８に送信し、サーバ３８に記録する。
【０２００】
次に、技師が移動型放射線撮影装置２２を使用して１人の被検者６６に対する放射線撮影を終了した段階（第２イベント発生時）での処理を図１８を参照しながら説明する。
【０２０１】
先ず、ステップＳ４０１において、容量更新予測部２６６は、上述した所定のレジスタに登録されている現在のバッテリ容量（予測値）から今回の曝射数に基づく消費電力量を差し引いて、現在のバッテリ容量（予測値）を更新し、上述の所定のレジスタに登録し直す。
【０２０２】
ステップＳ４０２において、計画情報作成部２５４は、現時点の撮影計画に含まれるオーダリング情報（撮影メニュー等）のうち、放射線撮影を終えた被検者６６に関するオーダリング情報を削除して撮影計画を更新する。
【０２０３】
ステップＳ４０３において、情報送信部２５６は、ＩＤ情報、撮影計画に含まれるオーダリング情報（撮影メニュー等）、履歴情報等を分析要求指示と共に外部の中央管理部１４に送信する。このとき、第２イベント発生時の分析要求指示であることを示すコードも併せて送信するようにしてもよい。
【０２０４】
ステップＳ４０４において、中央管理部１４での処理が行われる。この処理は、上述したステップＳ１０４〜ステップＳ１０９（図１４参照）と同様であるため、その説明を省略する。この中央管理部１４での処理によって、第１分析部２７２Ａ〜第５分析部２７２Ｅからの各分析結果を含む第１送信ファイルが要求のあった移動型放射線撮影装置２２に送信される。なお、移動型放射線撮影装置２２から第２イベント発生時の分析要求指示であることを示すコードが送信されていれば、第２イベントにおいて必要な情報、例えば第１分析部２７２Ａ〜第３分析部２７２Ｃでの分析結果のみを第１送信ファイルに登録して、要求のあった移動型放射線撮影装置２２に送信するようにしてもよい。
【０２０５】
ステップＳ４０５において、移動型放射線撮影装置２２の分析結果受取部２５８は、中央管理部１４での分析結果（第１送信ファイル）を受け取る。
【０２０６】
ステップＳ４０６において、第２フィードバック部２６２は、受け取った第１送信ファイルに含まれる分析結果を撮影計画に反映させる。先ず、図１６のステップＳ２０１〜ステップＳ２０３に準じた処理を行って、撮影計画（今回、放射線撮影を行った被検者６６に関するオーダリング情報は削除済み）に含まれる全曝射での消費電力量を計算し直す。
【０２０７】
さらに、ステップＳ４０７において、以後の最適な移動ルートを探索し直す。ここでの処理は、上述した図１６のステップＳ２０６以降の処理と同様であるため、その説明を省略する。
【０２０８】
ステップＳ４０７での処理が終了した段階で、撮影計画の更新が決定されることとなり、次のステップＳ４０８に進んで、移動型放射線撮影装置２２は、更新された撮影計画を管理室３２のサーバ３８に送信し、サーバ３８に記録する。
【０２０９】
次に、新たな撮影メニューが追加（被検者６６の追加を含む）された段階（第３イベント発生時）での処理を図１９を参照しながら説明する。
【０２１０】
先ず、ステップＳ５０１において、計画情報作成部２５４は、現時点の撮影計画に新たなオーダリング情報（撮影メニュー等）を追加して撮影計画を更新する。
【０２１１】
ステップＳ５０２において、情報送信部２５６は、ＩＤ情報、撮影計画に含まれるオーダリング情報（撮影メニュー等）、履歴情報等を分析要求指示と共に外部の中央管理部１４に送信する。このとき、第３イベント発生時の分析要求指示であることを示すコードも併せて送信するようにしてもよい。
【０２１２】
ステップＳ５０３において、中央管理部１４での処理が行われる。この処理は、上述したステップＳ１０４〜ステップＳ１０９（図１４参照）と同様であるため、その説明を省略する。この中央管理部１４での処理によって、第１分析部２７２Ａ〜第５分析部２７２Ｅからの各分析結果を含む第１送信ファイルが要求のあった移動型放射線撮影装置２２に送信される。なお、移動型放射線撮影装置２２から第３イベント発生時の分析要求指示であることを示すコードが送信されていれば、第３イベントにおいて必要な情報、例えば第１分析部２７２Ａ〜第３分析部２７２Ｃでの分析結果のみを第１送信ファイルに登録して、要求のあった移動型放射線撮影装置２２に送信するようにしてもよい。
【０２１３】
ステップＳ５０４において、移動型放射線撮影装置２２の分析結果受取部２５８は、中央管理部１４での分析結果（第１送信ファイル）を受け取る。
【０２１４】
ステップＳ５０５において、第２フィードバック部２６２は、受け取った第１送信ファイルに含まれる分析結果を撮影計画に反映させる。先ず、図１６のステップＳ２０１〜ステップＳ２０３に準じた処理を行って、撮影計画（新たなオーダリング情報を追加済み）に含まれる全曝射での消費電力量を計算し直す。
【０２１５】
さらに、ステップＳ５０６において、以後の最適な移動ルートを探索し直す。ここでの処理は、上述した図１６のステップＳ２０６以降の処理と同様であるため、その説明を省略する。
【０２１６】
ステップＳ５０６での処理が終了した段階で、撮影計画の更新が決定されることとなり、次のステップＳ５０７に進んで、移動型放射線撮影装置２２は、更新された撮影計画を管理室３２のサーバ３８に送信し、サーバ３８に記録する。
【０２１７】
図１５でのルーチンに戻り、ステップＳ１１３以降において、移動型放射線撮影装置２２の終了時における処理、すなわち、撮影計画に基づいた移動型放射線撮影装置２２による放射線撮影を終えて、移動型放射線撮影装置２２を管理室３２に移動した段階での処理が行われる。
【０２１８】
先ず、ステップＳ１１３において、技師は、例えば入力装置を介して保守計画の送信を要求する。計画情報作成部２５４は、サーバ３８に対し、該サーバ３８に記憶されている保守計画（前回の使用時において更新された保守計画）の送信を要求する。
【０２１９】
ステップＳ１１４において、計画情報作成部２５４は、サーバ３８から送られてくる保守計画を受け取り、計画情報メモリ２５２に保存する。
【０２２０】
ステップＳ１１５において、情報送信部２５６は、ＩＤ情報、履歴情報等を分析要求指示と共に外部の中央管理部１４に送信する。
【０２２１】
ステップＳ１１６以降において、中央管理部１４での処理が行われる。すなわち、ステップＳ１１６において、中央管理部１４の情報受取部２７０は、移動型放射線撮影装置２２から分析要求指示と共に送られてくるＩＤ情報、履歴情報等を受け取る。
【０２２２】
ステップＳ１１７において、第６分析部２７２Ｆは、受け取った履歴情報に基づいてバッテリ５８の劣化に関する分析を行う。また、ステップＳ１１８において、第７分析部２７２Ｇは、受け取った履歴情報に基づいて放射線源６４のターゲットの劣化に関する分析を行い、ステップＳ１１９において、第８分析部２７２Ｈは、受け取った履歴情報に基づいて放射線源６４のフィルタの劣化に関する分析を行い、ステップＳ１２０において、第９分析部２７２Ｉは、受け取った履歴情報に基づいて放射線源６４のフィラメントの劣化に関する分析を行う。さらに、ステップＳ１２１において、第１０分析部２７２Ｊは、受け取った履歴情報に基づいて電灯７１の劣化に関する分析を行う。また、ステップＳ１２２において、第１１分析部２７２Ｋは、分析要求指示のあった移動型放射線撮影装置２２が第１移動型放射線撮影装置２２Ａであれば（ＩＤ情報にて認識）、受け取った履歴情報に基づいてカセッテ６８の劣化に関する分析を行う。一方、分析要求指示のあった移動型放射線撮影装置２２が第２移動型放射線撮影装置２２Ｂであれば（ＩＤ情報にて認識）、ステップＳ１２３において、第１２分析部２７２Ｌは、受け取った履歴情報に基づいて画像読取装置１７０の劣化に関する分析を行う。また、ステップＳ１２４において、第１３分析部２７２Ｍは、受け取った履歴情報に基づいて移動機構５０の劣化に関する分析を行う。
【０２２３】
ステップＳ１２５において、第２分析結果送信部２７６は、第６分析部２７２Ｆ〜第１３分析部２７２Ｍからの各分析結果を含む第２送信ファイルを作成し、要求のあった移動型放射線撮影装置２２に送信する。
【０２２４】
ステップＳ１２６以降において、移動型放射線撮影装置２２のコンソール制御装置８０での処理が行われる。すなわち、ステップＳ１２６において、分析結果受取部２５８は、中央管理部１４での分析結果（第６分析部２７２Ｆ〜第１３分析部２７２Ｍからの各分析結果を含む第２送信ファイル）を受け取る。
【０２２５】
ステップＳ１２７において、第３フィードバック部２６４は、受け取った第２送信ファイルに含まれる分析結果を保守計画に反映させる。具体的には、第３フィードバック部２６４は、既に計画情報メモリ２５２に記憶されている保守計画を、第６分析部２７２Ｆでの分析結果（バッテリ５８の次の点検時期、新品への交換時期）、第７分析部２７２Ｇでの分析結果（放射線源６４のターゲットの次の点検時期、新品への交換時期）、第８分析部２７２Ｈでの分析結果（放射線源６４のフィルタの次の点検時期、新品への交換時期）、第９分析部２７２Ｉでの分析結果（放射線源６４のフィラメントの次の点検時期、新品への交換時期）、第１０分析部２７２Ｊでの分析結果（電灯７１の次の点検時期、新品への交換時期）、第１移動型放射線撮影装置２２Ａであれば、第１１分析部２７２Ｋでの分析結果（カセッテ６８の次の点検時期、新品への交換時期）、第２移動型放射線撮影装置２２Ｂであれば、第１２分析部２７２Ｌでの分析結果（画像読取装置１７０の次の点検時期、新品への交換時期）、第１３分析部２７２Ｍでの分析結果（移動機構５０の次の点検時期、新品への交換時期）に書き換えて、保守計画を更新する。そして、移動型放射線撮影装置２２は、更新した保守計画を管理室３２のサーバ３８に送信し、サーバ３８に記録する。
【０２２６】
ステップＳ１２７での処理が終了した段階で、移動型放射線撮影装置２２の終了時における処理が終了する。
【０２２７】
以上説明したように、本実施の形態によれば、移動型放射線撮影装置２２の少なくとも使用状況に関する情報と使用履歴に関する情報からバッテリ５８の劣化状況や消耗品等の使用頻度の情報を遠隔地で管理することができ、しかも、移動型放射線撮影装置２２を遠隔地で管理することができる。
【０２２８】
また、移動型放射線撮影装置２２の少なくとも使用状況に関する情報と使用履歴に関する情報に基づいて分析した結果を撮影計画や保守計画に反映させて表示することで、最適な撮影計画をリアルタイムに技師に認識させることができ、また、将来における消耗品の点検、交換時期をリアルタイムに技師に把握させることができる。
【０２２９】
特に、本実施の形態では、リアルタイムに進行するオーダリング情報や技師情報、被検者情報に基づいて、再撮影の回数や撮影メニューの追加、消費電力量、バッテリ容量を予測し、その予測に基づいて撮影計画を再構築するようにしている。そのため、突然の再撮影や撮影メニューの追加があっても迅速に対処することが可能となり、技師は余裕をもって移動型放射線撮影装置を操作することが可能となる。また、中央管理部１４において、オーダリング情報、被検者情報、履歴情報に基づいて、線源の劣化度合いに応じた１回の曝射に対する消費電力量の比率、移動機構５０の劣化度合いに応じた単位走行距離に対する消費電力量の比率、バッテリ５８の劣化度合いに応じた満充電のときのバッテリ容量の比率についての分析を行うようにしている。そのため、撮影計画に含まれる移動ルート、オーダリング情報から導き出される総合的な消費電力量を、放射線源６４や移動機構５０の劣化度合いに応じて可能な限り正確に割り出すことができ、しかも、満充電のときのバッテリ容量を、バッテリ５８の劣化度合いに応じて可能な限り正確に割り出すことができ、無理のない撮影計画の構築を実現することができる。
【０２３０】
さらに、移動型放射線撮影装置２２の終了時に、放射線源６４（ターゲット、フィルタ、フィラメント）、移動機構５０、電子カセッテ６８、画像読取装置１７０の劣化度合いに応じて各部品の点検時期や、新品への交換時期を予測して保守計画を書き換えるようにしているため、技師は、移動型放射線撮影装置２２に対するメンテナンスのスケジュール設定、移動型放射線撮影装置２２に対する予算設定を容易に行うことができ、放射線撮影の業務に集中させることができる。
【０２３１】
中央管理部１４は、医療機関１２の外部に設置されることから、数多くの医療機関１２と接続することができる。そのため、中央管理部１４では、技師情報、被検者情報・履歴情報等がさまざまな医療機関１２から送られるため、これらの情報を集約することができる。その結果、各情報を統計的に解析し、各医療機関１２に対して最適な撮影計画（撮影順・経路等）を決定することができる。つまり、統計的分析において、母集団を増やすことでき、同一対象の予測値についてばらつきを抑制することが可能となる。特に、データマイニングを用いた分析において有益であり、様々な事象から総合的に分析を行うことができ、個々の移動型放射線撮影装置２２にとって最適な予測値を提供することが可能となる。
【０２３２】
従って、例えば技師の再撮影率を記録しておき、再撮影率の低い技師が担当であった場合には、電池容量をギリギリまで使用可能な経路を設定し、再撮影率が高い技師が担当であった場合には、バッテリ容量に余裕を持たせた経路を設定することが可能となる。あるいは、被検者に児童（年齢があるしきい値以下）が多く含まれている場合には、体動により再撮影が増える可能性があるので、バッテリ容量に余裕を持たせた経路を設定することが可能となる。これらの最適な経路の決定は、これから撮影する情報（技師情報、被検者情報、履歴情報等）と中央管理部１４で保有する過去の同情報の類似度を検索し、最も類似度が高かった過去の情報と同様の経路を提示しても可能となる。
【０２３３】
なお、上述の実施の形態では、事前に撮影計画及び保守計画を作成するようにしている。これは、中央管理部１４との通信が途絶えた場合に、独自の撮影計画及び保守計画で移動型放射線撮影装置２２を稼働させることができるというメリットがある。
【０２３４】
また、保守計画に関しては、例えば過去の部品交換履歴とそれに至った経緯を中央管理部１４で集約することができるため、現時点での移動型放射線撮影装置２２の使用状況の履歴をもとに、中央管理部１４にある過去の類似の使われ方を検索して、その場合の交換までにかかった日数を求めることで、「あと○○日でフィラメント交換（予想）」のように予測して、医療機関１２側に通知するシステムを構築することができる。
【０２３５】
また、本実施の形態では、同一の医療機関１２に２台以上の移動型放射線撮影装置２２が設置されている場合に、第１４分析部２７２Ｎによって、使用すべき移動型放射線撮影装置２２を選択して、医療機関１２側に通知するようにしたので、移動型放射線撮影装置２２の使用当初においては、２台以上の移動型放射線撮影装置２２をその劣化具合が平均的になるように、偏りなく使用することができ、１つの移動型放射線撮影装置２２に使用が集中してしまうということがない。そして、使用日数が経過して、すべての移動型放射線撮影装置２２がある程度まで劣化した段階からは、特定の移動型放射線撮影装置２２を緊急用に使用せず、他の移動型放射線撮影装置２２を使用するように通知がなされることから、全ての移動型放射線撮影装置２２がほぼ同時期に使用不能に陥るということがなく、他の移動型放射線撮影装置２２が修理点検等で使用不能になった場合でも、緊急用の移動型放射線撮影装置２２を使用することができ、移動型放射線撮影装置２２が全く使用できないという弊害を防止することができる。
【０２３６】
この場合、第１４分析部２７２Ｎから、緊急用の移動型放射線撮影装置２２のＩＤ情報も一緒に送信された場合は、緊急用の移動型放射線撮影装置２２を重点的にチェックするための定期メンテナンス時のチェックメニューが付加されているため、このチェックメニューをサービスマンに配信することで、緊急用の移動型放射線撮影装置２２を、いざというときに使えるように、メンテナンスを行わせることが可能となる。
【０２３７】
本実施の形態では、中央管理部１４が分析処理を行っているが、例えば中央管理部１４からは経路選択のアルゴリズム部のみを医療機関１２の中央コンピュータに配信して、経路の決定は医療機関１２の中央コンピュータが行うようにしてもよい。さらには、同様のアルゴリズム部を移動型放射線撮影装置２２のコンソール５２にダウンロードして、移動型放射線撮影装置２２のコンソール５２が行うようにしてもよい。
【０２３８】
そして、本実施の形態の他の変形例としては、以下の例が挙げられる。
【０２３９】
（１）中央管理部１４に設置された第１分析部２７２Ａ〜第１３分析部２７２Ｍのいずれかを管理室３２のサーバ３８や移動型放射線撮影装置２２のコンソール制御装置８０に設置して、いくつかの項目の分析を医療機関１２側で行うようにしてもよい。これにより、中央管理部１４との通信が途絶えた場合であっても、独自の撮影計画及び保守計画を、中央管理部１４からの予測値ほどの正確性はないが、稼働に支障が来たさない程度で正確さで構築することができる。
【０２４０】
（２）コンソール制御装置８０に設置されたログメモリ２５０、計画情報メモリ２５２、情報送信部２５６、分析結果受取部２５８、第１フィードバック部２６０、第２フィードバック部２６２、第３フィードバック部２６４、ガイダンス部２６８を管理室３２のサーバ３８にも設置して、サーバ３８からでも撮影計画や保守計画の再構築を行えるようにしてもよい。特に、ガイダンス部２６８をサーバ３８に設置することで、２台以上の移動型放射線撮影装置２２のうち、いずれの移動型放射線撮影装置２２を起動すればよいかを事前に確認することができるというメリットがある。
【０２４１】
（３）例えば中央管理部１４、あるいは管理室３２のサーバ３８に、第１フィードバック部２６０、第２フィードバック部２６２、第３フィードバック部２６４の少なくとも１つを設置して、移動型放射線撮影装置２２のコンソール制御装置８０での演算処理を軽減させるようにしてもよい。
【０２４２】
（４）保守計画の設定、更新を、移動型放射線撮影装置２２ではなく、管理室３２のサーバ３８にて行うようにしてもよい。この場合も、移動型放射線撮影装置２２のコンソール制御装置での演算処理を軽減させることができる。
【０２４３】
（５）撮影計画及び保守計画の作成から分析結果の反映を中央管理部１４で行うようにしてもよい。規模の小さな医療機関１２や、一般家庭での在宅撮影、被災地での放射線撮影にも容易に適用させることができる。
【０２４４】
なお、この発明は、上述した実施形態に限定されるものではなく、この発明の主旨を逸脱しない範囲で自由に変更できることは勿論である。
【０２４５】
例えば、移動通信網２０は、通信範囲４２が一部重複する複数の基地局４０を含むものであるので、電子カセッテ６８の送受信端末１０８又は画像読取装置１７０の送受信端末１８４を、移動型放射線撮影装置２２に装着された無線送受信可能な既存の携帯端末、例えば、ＰＨＳ端末とすることで既存の通信インフラを利用でき、移動型放射線撮影装置２２と放射線画像情報の収集設備との間の通信インフラの整備が不要となる。もちろん、携帯端末として、ＰＨＳ端末と同程度の電波発振強度を有するものを利用することができる。この場合、移動型放射線撮影装置２２による一般家庭での在宅撮影も可能となる。すなわち、撮影現場室は、手術室３０、病室２４、診察室２８に限ることなく、一般家庭における在宅介護室等、撮影室３４以外の現場室で撮影することが可能である。
【０２４６】
例えば、電子カセッテ６８に収容される放射線検出器４６は、入射した放射線Ｘの線量を画素１３８によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線検出器を用いてもよい（特許第３４９４６８３号公報参照）。
【０２４７】
さらに、全基地局４０の間で同期信号を用いてフレーム送信タイミングを１スロットずつずらしながら基地局４０と電子カセッテ６８の送受信端末１０８又は画像読取装置１７０の送受信端末１８４との間で通信フレーム（複数スロットから構成されている）の送受信を行い、且つ、隣接する基地局４０をそれぞれ異なる周波数を用いてそれぞれの通信範囲４２の一部が重なるように配置する。そして、電子カセッテ６８（送受信端末１０８）又は画像読取装置１７０（送受信端末１８４）の進行方向手前の基地局４０のフレーム内最終スロットのタイミングに、次の基地局４０のフレーム内先頭スロットを送信するように全基地局４０がタイミング制御を行いながら、送受信端末１０８又は送受信端末１８４は、通信フレームで通信するだけでなく、通信フレームの最終スロットで他の基地局４０からの受信を試みて、他の基地局４０と安定して通信ができる状態と判断できれば、通信する基地局４０を変更することで、中央管理部１４や管理室３２のサーバ３８との通信を途切れることなく、且つ、確実に行うことができる。
【０２４８】
電子カセッテ６８やカセッテ１９２は、手術室３０等で使用されるとき、血液やその他の雑菌が付着するおそれがある。そこで、電子カセッテ６８やカセッテ１９２を防水性、密閉性を有する構造とし、必要に応じて殺菌洗浄することにより、１つの電子カセッテ６８やカセッテ１９２を繰り返し続けて使用することができる。
【０２４９】
また、電子カセッテ６８については、図２０に示すように構成すると、一層好適である。
【０２５０】
すなわち、電子カセッテ６８には、ケーシング１００の放射線照射面側に、撮影領域及び撮影位置の基準となるガイド線２９０が形成される。このガイド線２９０を用いて、電子カセッテ６８に対する被検者６６等の被写体の位置決めを行い、また、放射線Ｘの照射範囲を設定することにより、放射線画像情報を適切な撮影領域に記録することができる。
【０２５１】
電子カセッテ６８の撮影領域外の部位には、電子カセッテ６８に係る各種情報を表示する表示部２９２を配設する。この表示部２９２には、電子カセッテ６８に記録される被検者６６等の被写体のＩＤ情報、電子カセッテ６８の使用回数、累積曝射線量、電子カセッテ６８に内蔵されているバッテリ１０６の充電状態（残容量）、放射線画像情報の撮影条件、被検者６６の電子カセッテ６８に対するポジショニング画像等を表示させる。この場合、技師は、例えば、表示部２９２に表示されたＩＤ情報に従って被検者６６等の被写体を確認するとともに、電子カセッテ６８が使用可能な状態にあることを事前に確認し、表示されたポジショニング画像に基づいて被検者６６等の被写体の所望の撮影部位を電子カセッテ６８に位置決めして、最適な放射線画像情報の撮影を行うことができる。
【０２５２】
また、電子カセッテ６８に取手部２９４を形成することにより、電子カセッテ６８の取り扱い、持ち運びが容易になる。
【０２５３】
電子カセッテ６８の側部には、ＡＣアダプタの入力端子２９６と、ＵＳＢ（Ｕｎｉｖｅｒｓａｌ  Ｓｅｒｉａｌ  Ｂｕｓ）メモリ２９８を装着するためのＵＳＢ端子３００と、メモリカード３０２を装填するためのカードスロット３０４とを配設すると好適である。
【０２５４】
入力端子２９６は、電子カセッテ６８に内蔵されているバッテリ１０６の充電機能が低下しているとき、あるいは、バッテリ１０６を充電するのに十分な時間を確保できないとき、ＡＣアダプタを接続して外部から電力を供給することにより、当該電子カセッテ６８を直ちに使用可能な状態とすることができる。
【０２５５】
ＵＳＢ端子３００又はカードスロット３０４は、電子カセッテ６８が基地局４０、移動通信網２０、及びＬＡＮ１８を通じてコンソール３６及びサーバ３８等の外部機器との間で無線通信による情報の送受信を行うことができないときに利用することができる。すなわち、ＵＳＢ端子３００にＵＳＢメモリ２９８を装着し、このＵＳＢメモリ２９８に必要な情報を記録した後、ＵＳＢメモリ２９８を取り外して外部機器に装着することにより、情報の送受信を行うことができる。また、カードスロット３０４にメモリカード３０２を装填し、このメモリカード３０２に必要な情報を記録した後、メモリカード３０２を取り出して外部機器に装填することにより、情報の送受信を行うことができる。
【０２５６】
手術室３０、診察室２８、撮影室３４や病院内の必要な個所には、図２１に示すように、電子カセッテ６８が装填され、内蔵されるバッテリ１０６の充電を行うクレードル３０６を配置すると好適である。この場合、クレードル３０６は、バッテリ１０６の充電だけでなく、バッテリ１０６の節電のために電子カセッテ６８の送受信端末１０８を用いることに代替してクレードル３０６の無線通信機能又は有線通信機能を用いて、基地局４０、移動通信網２０及びＬＡＮ１８を介してサーバ３８に送信するようにしてもよい。送受信する情報には、クレードル３０６に装填された電子カセッテ６８に記録された放射線画像情報を含めることができる。
【０２５７】
また、クレードル３０６に表示部３０８を配設し、この表示部３０８に、装填された電子カセッテ６８の充電状態や、電子カセッテ６８から取得した放射線画像情報を含む必要な情報を表示させるようにしてもよい。
【０２５８】
また、複数のクレードル３０６をＬＡＮ１８に接続し、各クレードル３０６に装填されている電子カセッテ６８の充電状態をＬＡＮ１８を介してコンソール３６やサーバ３８により収集し、使用可能な充電状態にある電子カセッテ６８の所在を確認できるように構成することもできる。
【符号の説明】
【０２５９】
１０…放射線撮影管理システム            １２…医療機関
１４…中央管理部                        １６…公衆回線網
２２…移動型放射線撮影装置              ２２Ａ…第１移動型放射線撮影装置
２２Ｂ…第２移動型放射線撮影装置        ２４…病室
３２…管理室                            ３８…サーバ
４４…台車                              ４６…放射線検出器
４８…蓄積性蛍光体パネル                ５０…移動機構
５２…コンソール                        ５４…放射線源制御装置
５６…グレードル                        ５８…バッテリ
６０…車輪                              ６２…ディスプレイ
６４…放射線源                          ６６…被検者
６８…電子カセッテ                      ７１…電灯
７４…速度センサ                        ７６…位置センサ
７８…接触センサ                        ８０…コンソール制御装置
８２…送受信部                          ８４…撮影スイッチ
８６…オーダリング管理部                ８８…ＩＤメモリ
１７０…画像読取装置                    ２５０…ログメモリ
２５２…計画情報メモリ                  ２５４…計画情報作成部
２５６…情報送信部                      ２５８…分析結果受取部
２６０…第１フィードバック部            ２６２…第２フィードバック部
２６４…第３フィードバック部            ２６６…容量更新予測部
２６８…ガイダンス部                    ２７０…情報受取部
２７２Ａ〜２７２Ｎ…第１分析部〜第１４分析部
２７４…第１分析結果送信部              ２７６…第２分析結果送信部
２７８…関連情報読出部                  ２８０…第３分析結果送信部
【図１】
2011030660.tif 000004
【図２】
2011030660.tif 000005
【図３】
2011030660.tif 000006
【図４】
2011030660.tif 000007
【図５】
2011030660.tif 000008
【図６】
2011030660.tif 000009
【図７】
2011030660.tif 000010
【図８】
2011030660.tif 000011
【図９】
2011030660.tif 000012
【図１０】
2011030660.tif 000013
【図１１】
2011030660.tif 000014
【図１２】
2011030660.tif 000015
【図１３】
2011030660.tif 000016
【図１４】
2011030660.tif 000017
【図１５】
2011030660.tif 000018
【図１６】
2011030660.tif 000019
【図１７】
2011030660.tif 000020
【図１８】
2011030660.tif 000021
【図１９】
2011030660.tif 000022
【図２０】
2011030660.tif 000023
【図２１】
2011030660.tif 000024